(57)【要約】【課題】  それぞれが表示部を備えた複数の筐体同士の相対的な配置を変更できる表示装置の使いやすさを向上させること。【解決手段】  それぞれが表示画像を表示する表示部を備えた複数の筐体と、当該複数の筐体同士を連結する連結手段を有し、複数の筐体同士の相対的な配置を変更できる表示装置であって、表示画像に関する情報に基づいて、複数の筐体同士の相対的な配置を維持する力を変更する変更手段を有することを特徴とする構成とした。【選択図】  図１１
2016206557.tif 000002
【特許請求の範囲】
【請求項１】
それぞれが表示画像を表示する表示部を備えた複数の筐体と、当該複数の筐体同士を連結する第１の連結手段を有し、当該複数の筐体同士の相対的な配置を変更できる表示装置であって、
前記表示画像に関する情報に基づいて、前記複数の筐体同士の相対的な配置を維持する力を変更する変更手段を有することを特徴とする表示装置。
【請求項２】
前記表示画像に関する情報は表示画像を前記複数の筐体の表示部に表示させるか否かに関する情報であって、
前記変更手段は、前記表示画像を前記複数の筐体の表示部に表示させるか否かに関する情報に基づいて、前記複数の筐体同士の相対的な配置を変更することを特徴とする請求項１に記載の表示装置。
【請求項３】
前記変更手段は、前記複数の筐体の何れかの表示部に表示画像を表示させない場合よりも、前記複数の筐体の少なくとも１つの表示部に表示画像を表示させる場合の方が、前記複数の筐体同士の相対的な配置を維持する力を大きくすることを特徴とする請求項２に記載の表示装置。
【請求項４】
前記表示画像に関する情報は表示画像の種類に関する情報であって、当該表示画像の種類を判定する判定手段を有し、
前記変更手段は、前記判定手段によって判定された前記表示画像の種類に関する情報に基づいて、前記複数の筐体同士の相対的な配置を変更することを特徴とする請求項１に記載の表示装置。
【請求項５】
前記判定手段は、表示画像の種類が、前記複数の筐体の各表示部を合わせて単一の画像を表示するために、当該単一の画像を複数に分割した分割画像であるか否かを判定し、
前記変更手段は、前記判定手段によって、前記表示画像の種類が分割画像であると判定された場合は、前記表示画像の種類が分割画像でないと判定された場合よりも、前記複数の筐体同士の相対的な配置を維持する力を大きくすることを特徴とする請求項４に記載の表示装置。
【請求項６】
前記複数の筐体同士の相対的な配置を検出する配置検出手段を有し、
前記変更手段は、前記配置検出手段によって前記複数の筐体それぞれの表示部が同一方向を向いている検出された場合と、前記配置検出手段によって前記複数の筐体それぞれの表示部が同一方向を向いていないと検出された場合とで、前記複数の筐体同士の相対的な配置を維持する力を異ならせることを特徴とする請求項１乃至５の何れか一項に記載の表示装置。
【請求項７】
前記変更手段は、前記第１の連結手段に作用する力を変更することで、前記複数の筐体同士の相対的な配置を維持する力を変更することを特徴とする請求項１乃至６の何れか一項に記載の表示装置。
【請求項８】
前記複数の筐体それぞれの表示部が同一方向を向いた状態で、当該複数の筐体同士を連結する第２の連結手段を有し、
前記第２の連結手段は、前記第１の筐体と前記第２の筐体の相対的な配置の変更によって連結が解除される連結手段であって、
前記変更手段は、前記第２の連結手段に作用する力を変更することで、前記複数の筐体同士の相対的な配置を維持する力を設定することを特徴とする請求項１乃至７の何れか一項に記載の表示装置。
【請求項９】
前記第２の連結手段は、前記複数の筐体それぞれに設けられた電磁石を含み、
前記変更手段は、前記電磁石に印加する電流値を変更することで、前記複数の筐体同士の相対的な配置を維持する力を設定することを特徴とする請求項８に記載の表示装置。
【請求項１０】
前記複数の筐体は、それぞれが直交する第１の辺と第２の辺とを含む第１の面に表示部を備えた第１の筐体と、それぞれが直交する第３の辺と第４の辺とを含む第２の面に表示部を備えた第２の筐体であり、前記第１の面と前記第２の面とが同一の方向を向き、前記第２の辺と前記第４の辺とが互いに隣接する第１の状態と、前記第１の辺と前記第３の辺とが互いに隣接する第２の状態とに、前記第１の筐体と前記第２の筐体との相対的な配置を変更できる表示装置であって、
前記第１の連結手段は、前記第１の筐体と前記第２の筐体とを連結し、前記第１の状態または前記第２の状態の何れか一方に前記第１の筐体と前記第２の筐体との相対的な配置を変更でき、他方に相対的な配置を変更できないことを特徴とする請求項１乃至９の何れか一項に記載の表示装置。
【請求項１１】
前記複数の筐体は、それぞれが直交する第１の辺と第２の辺とを含む第１の面に表示部を備えた第１の筐体と、それぞれが直交する第３の辺と第４の辺とを含む第２の面に表示部を備えた第２の筐体であり、前記第１の面と前記第２の面とが同一の方向を向き、前記第２の辺と前記第４の辺とが互いに隣接する第１の状態と、前記第１の辺と前記第３の辺とが互いに隣接する第２の状態とに、前記第１の筐体と前記第２の筐体との相対的な配置を変更できる表示装置であって、
前記第１の連結手段は、前記第１の筐体と前記第２の筐体とを連結し、前記第１の状態および前記第２の状態に、前記第１の筐体と前記第２の筐体との相対的な配置を変更できることを特徴とする請求項１乃至９の何れか一項に記載の表示装置。
【発明の詳細な説明】
【技術分野】
【０００１】
本発明は、それぞれが表示部を備えた複数の筐体同士の配置を相対的に変更できる表示装置に関する。
【背景技術】
【０００２】
従来、それぞれが表示部を備えた筐体同士を連結し、当該筐体同士の相対的な配置を変更できる表示装置が知られている。特許文献１では、それぞれが表示領域を備えた複数のパネルの配列を、複数の状態（図１、図４〜８など）に変更できる画像表示装置について提案されている。
【先行技術文献】
【特許文献】
【０００３】
【特許文献１】特開２０１３−２５６１７号公報
【発明の概要】
【発明が解決しようとする課題】
【０００４】
特許文献１の画像表示装置では、パネル同士を連結するヒンジに開き角度を保持する保持機構を設けることについて記載されている。
【０００５】
ここで、常に一定の力で筐体同士の状態が維持されることで、以下のような問題が生じる。例えば、筐体同士の状態を維持する力が比較的強い場合は、ユーザが、当該筐体同士の相対的な配置を変更し難い。逆に、筐体同士の状態を維持する力が比較的弱いと、小さな衝撃などによって、当該筐体同士の状態がユーザの意図しない状態へと変化してしまう。
【０００６】
本発明の目的は、それぞれが表示部を備えた複数の筐体同士の相対的な配置を変更できる表示装置の使いやすさを向上させることである。
【課題を解決するための手段】
【０００７】
上記目的を達成するための本発明の表示装置は、それぞれが表示画像を表示する表示部を備えた複数の筐体と、当該複数の筐体同士を連結する第１の連結手段を有し、当該複数の筐体同士の相対的な配置を変更できる表示装置であって、前記表示画像に関する情報に基づいて、前記複数の筐体同士の相対的な配置を維持する力を変更する変更手段を有することを特徴とする。
【発明の効果】
【０００８】
本発明によれば、それぞれが表示部を備えた複数の筐体同士の相対的な配置を変更できる表示装置の使いやすさを向上させることである。
【図面の簡単な説明】
【０００９】
【図１】本発明を実施する表示装置の第１実施形態である表示装置１００の構成を説明する三面図である。
【図２】本発明を実施する表示装置の第１実施形態である表示装置１００の内部構成を説明するブロック図である。
【図３】本発明を実施する表示装置の第１実施形態である表示装置１００を構成する第１のパネル１０１の四面図である。
【図４】本発明の第１実施形態に係る表示装置１００の各パネルの溝部の拡大断面を例示的に説明した図である。
【図５】本発明を実施する表示装置の第１実施形態である表示装置１００の展開状態および折り畳み状態を例示的に説明する図である。
【図６】本発明を実施した表示装置の第１実施形態である表示装置１００の状態を横展開状態から収納状態Ａに変更する（折り畳む）場合を例示的に説明する図である。
【図７】本発明を実施した表示装置の第１実施形態である表示装置１００の状態を横展開状態から両面状態に変更する（折り畳む）場合を例示的に説明する図である。
【図８】本発明を実施した表示装置の第１実施形態である表示装置１００の状態を縦展開状態から両面状態へと変更する（折り畳む）場合を例示的に説明する図である。
【図９】本発明の第１実施形態に係るデジタルカメラ１を説明する図である。
【図１０】本発明の第１実施形態に係る表示装置１００に単一の画像を分割して表示させる場合と、単一の画像を独立して表示させる場合とを説明する図である。
【図１１】本発明を実施した表示装置の第１実施形態に係る表示装置１００の維持力変更処理を説明するフローチャートである。
【図１２】本発明の第１実施形態に係る表示装置１００の状態検出方法を説明する図である。
【図１３】本発明の第１実施形態に係る表示装置の変形例である表示装置２００の三面図である。
【図１４】本発明の第１実施形態に係る表示装置の変形例である表示装置２００について例示的に説明するブロック図である。
【図１５】本発明を実施した表示装置の第２実施形態である表示装置３００の二面図である。
【図１６】本発明を実施した表示装置の第２実施形態である表示装置３００の内部構成を説明するブロック図である。
【発明を実施するための形態】
【００１０】
以下に、本発明の好ましい実施の形態を、添付の図面に基づいて詳細に説明する。
【００１１】
（第１実施形態）
本実施形態に係る表示装置である表示装置１００の構成について図１を参照して説明する。図１は、本発明を実施する表示装置の第１実施形態である表示装置１００の構成を説明する三面図であって、表示装置１００の正面図、下側面図（底面図）、背面図を示している。本実施形態の表示装置１００は、平板状の直方体である第１のパネル（第１の筐体）１０１と第２のパネル（第２の筐体）１０２によって構成されている。
【００１２】
第１のパネル１０１はＡ面に第１の表示部１０１ａを備え、第２のパネル１０２はＡ面に第２の表示部１０２ａを備えている。なお、第１の表示部１０１ａおよび第２の表示部１０２ａのそれぞれは、隣り合う辺の長さが異なる矩形状である。
【００１３】
表示装置１００は、上述した表示部として、ＴＦＴ型ＬＣＤ（薄膜トランジスタ駆動型液晶表示器）を採用する構成であるが、有機ＥＬ素子（有機エレクトロルミネッセンス素子）などによって形成された表示部を採用するような構成であってもよい。
【００１４】
なお、第１の表示部１０１ａは、第１の制御部１１０によって表示内容が制御され、第２の表示部１０２ａは、第２の制御部１２０によって表示内容が制御される構成である。
【００１５】
図１に図示するように、第１のパネル１０１は、第１の表示部１０１ａが設けられたＡ面を正面とし、その反対側のＢ面を背面とする。また、第１のパネル１０１は、後述する溝部１０１ｃ１および溝部１０１ｃ２が設けられている面を左側面としその反対側の面を右側面とする。そして、第１のパネル１０１は、後述する溝部１０１ｂ１および溝部１０１ｂ２が設けられている面を下側面とし、その反対側の面を上側面とする。
【００１６】
なお、表示部１０１ａ側から見た第１のパネル１０１の下側面側の長辺を辺１（第１の辺）とし、第１のパネル１０１の右側面側の短辺を辺２（第２の辺）とする。辺１と辺２とは互いに略直交している。
【００１７】
第２のパネル１０２は、第２の表示部１０１ａが設けられたＡ面を正面とし、その反対側のＢ面を背面とする。また、第２のパネル１０２は、後述する溝部１０２ｃ１および溝部１０２ｃ２が設けられている面を右側面としその反対側の面を左側面とする。そして、第２のパネル１０２は、後述する溝部１０２ｂ１および溝部１０２ｂ２が設けられている面を下側面とし、その反対側の面を上側面とする。
【００１８】
なお、表示部１０２ａ側から見た第２のパネル１０２の下側面側の長辺を辺３（第３の辺）とし、第２のパネル１０２の左側面側の短辺を辺４（第４の辺）とする。そして、辺３と辺４とは互いに略直交している。
【００１９】
上述した第１のパネル１０１と第２のパネル１０２とを有する表示装置１００は、各パネル同士の相対的な配置を変更することで複数の状態に変更することができる。上述した各パネル同士の相対的な配置（表示装置１００の状態）としては、第１の表示部１０１ａと第２の表示部１０２ａとが同一の方向を向く状態を展開状態とする。すなわち、第１のパネル１０１と第２のパネル１０２のＡ面同士（Ｂ面同士）が同一方向を向く状態を、表示装置１００の展開状態とする。
【００２０】
なお、表示装置１００の展開状態のうち、第１のパネル１０１の左側面と第２のパネル１０２の右側面とが隣接した展開状態を横展開状態とし、第１のパネル１０１の下側面と第２のパネル１０２の上側面とが隣接した展開状態を縦展開状態とする。すなわち、第１のパネル１０１のＡ面の辺２と第２のパネル１０２のＡ面の辺４とが隣接する表示装置１００の状態が、横展開状態（第１の状態）である。また、第１のパネル１０１のＡ面の辺１と第２のパネル１０２のＡ面の辺３とが隣接する表示装置１００の状態を、縦展開状態（第２の状態）とする。
【００２１】
本実施形態では、上述した表示装置１００の横展開状態で、第１のパネル１０１の辺１の延長線上に第２のパネル１０２の辺３が位置する。上述した表示装置１００の縦展開状態で、第１のパネル１０１の辺２の延長線上に第２のパネル１０２の辺４が位置する。
【００２２】
なお、本実施形態において、上述した各パネルの辺同士が互いに隣接する状態としては、少なくとも、対応する辺同士が互いに向かい合う状態であればよい。例えば、表示装置１００の横展開状態で、第１のパネル１０１の辺２と第２のパネル１０２の辺４とが互いに直線形状ではない場合であっても、辺２および辺４に該当する非直線形状の位置が互いに向かい合う状態を、各パネルの辺同士が隣接する状態とする。
【００２３】
また、表示装置１００は、第１のパネル１０１と第２のパネル１０２のＡ面同士が向かい合い、Ｂ面同士がそれぞれ異なる方向を向く状態を収納状態とする。すなわち、第１のパネル１０１の第１の表示部１０１ａと第２のパネル１０２の第２の表示部１０２ａとが互いに向かい合う状態を、表示装置１００の収納状態とする。
【００２４】
この収納状態としては、収納状態Ａおよび収納状態Ｂの２つの状態にすることができる。上述した、収納状態ＡとＢとは、第１のパネル１０１と第２のパネル１０２上において、後述する各ワイヤーが導かれる溝部がそれぞれ異なる。この詳細については後述する。
【００２５】
また、表示装置１００は、第１のパネル１０１と第２のパネル１０２のＢ面同士が向かい合い、Ａ面同士がそれぞれ異なる方向を向く状態を両面状態とする。すなわち、第１のパネル１０１の第１の表示部１０１ａと第２のパネル１０２の第２の表示部１０２ａとが露出し、それぞれが異なる方向を向く状態を、表示装置１００の両面状態とする。
【００２６】
以上説明した、表示装置１００の展開状態から収納状態、または表示装置１００の展開状態から両面状態へと移行するまでの表示装置１００の状態を移行状態とする。また、本実施形態では、表示装置１００の収納状態および両面状態を総称して、折り畳み状態とする。
【００２７】
なお、表示装置１００の収納状態および両面状態では、各表示部の表示面と直交する方向から表示装置１００を見て、第１のパネル１０１の辺１と第２のパネル１０２の辺３同士が互いに重畳（略一致）する。また、表示装置１００の収納状態および両面状態では、各表示部の表示面と直交する方向から表示装置１００を見て、第１のパネル１０１の辺２と第２のパネル１０２の辺４同士が互いに重畳（略一致）する。
【００２８】
第１のパネル１０１と第２のパネル１０２とを連結する第１の連結手段であるワイヤー１０３〜１０６と、各ワイヤーを導くために、各パネルの表面に形成された溝部と、センサ１１３ａ、１１３ｂ、１２３ａ、１２３ｂの詳細については後述する。
【００２９】
次に、図２を参照して表示装置１００の内部構成について説明する。図２は、本発明を実施する表示装置の第１実施形態である表示装置１００の内部構成を説明するブロック図である。
【００３０】
第１のパネル１０１は、第１の表示部１０１ａ、第１の制御部１１０、第１の電源部１１１、第１の通信部１１２、第１の状態検出部１１３、そして、表示画像判定部１１４を備えている。
【００３１】
また、第２のパネル１０２は、第２の表示部１０２ａ、第２の制御部１２０、第２の電源部１２１、第２の通信部１２２、第２の状態検出部１２３を備えている。
【００３２】
第１の制御部１１０は、第１の表示部１０１ａに表示用の画像（表示画像）を表示させるように制御できる、ＣＰＵなどを含む制御手段である。また、第２の制御部１２０は、第２の表示部１０２ａに表示画像を表示させるように制御できる、ＣＰＵなどを含む制御手段である。
【００３３】
なお、本実施形態における表示画像とは、表示装置１００に表示させる、あるいは、表示装置１００で表示中の画像である。例えば、単一の画像を分割して表示装置１００に表示させる場合、分割前の元画像および分割後の各画像の双方が表示画像となる。また、表示装置１００の操作に関する各種のパラメータやＵＩを含む操作画面など、撮像によって取得された画像データ以外であっても、表示部１０１ａおよび表示部１０２ａに表示させる画像を表示画像とする。
【００３４】
また、第１の制御部１１０は、後述する各センサからの出力信号に基づいて、第１のパネル１０１と第２のパネル１０２の相対的な配置に関する情報を検出する配置検出手段でもある。この詳細については後述する。
【００３５】
第１の電源部１１１は、第１のパネル１０１の内部に電力を供給する電力供給手段である。また、第２の電源部１２１は、第２のパネル１０２の内部に電力を供給する電力供給手段である。表示装置１００の電源（不図示）がオンされると、第１の電源部１１１から第１の制御部１１０を介して、第１のパネル１０１内の各部に電力が供給される。同様に、第２の電源部１２１から第２の制御部を介して、第２のパネル１０２内の各部に電力が供給される。
【００３６】
第１の通信部１１２および第２の通信部１２２は、第１の制御部１１０および第２の制御部１２０からの指示に応じて、第１のパネル１０１と第２のパネル１０２との間で種々のデータを送受信するための通信手段である。
【００３７】
本実施形態において、第１の通信部１１２および第２の通信部１２２は、各表示部に表示させる表示画像に関する表示信号などの情報を、無線通信によって送受信する構成である。したがって、上述した情報を第１のパネル１０１および第２のパネル１０２との間で送受信することによって、第１の表示部１０１ａと第２の表示部１０２ａとで、それぞれ異なる画像や単一の画像、操作画面などの各種の表示画像を表示させることができる。
【００３８】
また、第１の通信部１１２及び第２の通信部１２２は、後述するカメラ本体１０に設けられたカメラ通信部（不図示）と通信可能である。したがって、例えば、カメラ本体１０側で取得された画像データを表示装置１００側で受信することができる。
【００３９】
第１の状態検出部１１３は、センサ１１３ａ、１１３ｂによって構成された状態検出手段である。図１に図示するように、センサ１１３ａは、第１のパネル１０１の左側面に一部が露出した状態で設けられている。また、センサ１１３ｂは、第１のパネル１０１の底面に一部が露出した状態で設けられている。
【００４０】
センサ１１３ａは、第１のパネル１０１をＡ面側から見て、表示部１０１ａと重畳しない位置（Ａ面の縁部）であって、右側面と上面とによって形成された角部近傍に設けられている。また、センサ１１３ｂは、第１のパネル１０１をＡ面側から見て、表示部１０１ａと重畳しない位置であって、底面の略中央部分に設けられている。
【００４１】
第２の状態検出部１２３は、センサ１２３ａ、１２３ｂによって構成された状態検出手段である。図１に図示するように、センサ１２３ａは、第２のパネル１０２の右側面に一部が露出した状態で設けられている。また、センサ１２３ｂは、第２のパネル１０２の底面に一部が露出した状態で設けられている。
【００４２】
センサ１２３ａは、第２のパネル１０２をＡ面側から見て、表示部１０２ａと重畳しない位置（Ａ面の縁部）であって、右側面と上面とによって形成された角部近傍に設けられている。また、センサ１２３ｂは、第２のパネル１０２をＡ面側から見て、表示部１０２ａと重畳しない位置であって、底面の略中央部分に設けられている。
【００４３】
上述したセンサ１１３ａとセンサ１２３ａ、およびセンサ１１３ｂとセンサ１２３ｂとのそれぞれは、互いに対応する位置に配されている。具体的に、表示装置１００が横展開状態である場合は、センサ１１３ａとセンサ１２３ａとが近接し、表示装置１００が縦展開状態である場合は、センサ１１３ｂとセンサ１２３ｂとが近接する位置に、各センサが設けられている。
【００４４】
第１の制御部（配置検出手段）１１０は、センサ１１３ａとセンサ１２３ａとの近接を検知することで、表示装置１００の状態が横展開状態であると検出する。また、第１の制御部（配置検出手段）１１０は、センサ１１３ｂとセンサ１２３ｂとの近接を検知することで、表示装置１００の状態が縦展開状態であると検出する。さらに、第１の制御部１１０は、何れのセンサにおいても近接が検知されない場合に、表示装置１００が折り畳み状態であると検出する。
【００４５】
なお、上述した各センサとしては、各センサ間の電気的な接続（導通）を検知することによって表示装置１００の状態を検出するような構成であるが、これに限定されるものではない。例えば、上述した各センサとして、光や赤外光を用いたセンサや、各パネルの何れか一方に設けられたピンによって、他方のパネルに設けられたスイッチを押圧されているか否かを検知するメカ的な構成を採用するセンサなどであってもよい。
【００４６】
表示画像判定部１１４は、表示部１０１ａ、１０２ａに表示させる表示画像を判定する判定手段である。表示画像判定部１１４は、表示装置１００のメモリ（不図示）に設けられた表示用のＲＡＭ領域に記録された表示画像（の画像データ）を読み出し、当該表示画像の種類を判定することができる。
【００４７】
表示画像判定部１１４は、表示画像の種類として、各表示部に表示させる表示画像が、単一の画像を複数に分割した画像（以下、分割画像と称す）であるか、分割画像以外の独立した画像であるか、操作画面など該当する画像であるかなどを判定できる。
【００４８】
なお、上述した分割画像は、各パネルに設けられた各表示を合わせて単一の画像を拡大して表示させるために、単一の画像を複数に分割した画像である。したがって、分割画像を各表示部に表示させる場合は、表示部ごとに単一の画像を表示させる場合と比較して、当該単一の画像を拡大して表示させることができる。
【００４９】
第１の制御部１１０は、表示画像判定部１１４の判定結果に基づいて、第１のパネル１０１と第２のパネル１０２との相対的な配置（表示装置１００の状態）を維持するための力（以下、維持力）を変更するための指示ができる。この詳細については後述する。
【００５０】
張力変更部１１５は、各ワイヤーの巻き上げ機構を有し、第１のパネル１０１と第２のパネル１０２とを連結するワイヤー１０３〜１０６に作用する張力を変更することができる変更手段である。具体的に、張力変更部１１５は、第１のパネル１０１の後述する各ワイヤーに対応した各固定部の近傍に設けられており、各固定部に巻き付けるワイヤーの量を変更することによって、各ワイヤーの張力を変更することができる。この詳細については後述する。
【００５１】
なお、本実施形態の表示装置１００では、上述したように第１のパネル１０１および第２のパネル１０２の双方に制御部等を設けるような構成だが、これに限定されるものではない。例えば、第１のパネル１０１または第２のパネル１０２の何れか一方のみに制御部を設けるような構成であってもよい。この場合、当該一方のパネルに設けられた制御部によって、第１のパネル１０１と第２のパネル１０２の双方を統括的に制御する。
【００５２】
また、本実施形態の表示装置１００は、無線通信によって各パネル間の通信をおこなうような構成であるが、これに限定されるものではない。例えば、第１のパネル１０１と第２のパネル１０２の連結手段である後述する各ワイヤーの内部に通信用のケーブルなどを設け、当該通信用のケーブルを用いて各パネル間での通信をおこなうような構成であってもよい。そして、この場合は、後述するカメラ本体１０と表示装置１００とが、通信用のケーブルによって電気的に接続される。
【００５３】
次に、図３を参照して第１のパネル１０１を詳細に説明する。図３は、本発明を実施する表示装置の第１実施形態である表示装置１００を構成する第１のパネル１０１の四面図であって、正面図、左側面図、下側面図（底面図）、背面図を示している。
【００５４】
第１のパネル１０１は、辺１の長さ（横幅）をＷｐ、辺２の長さ（縦幅）をＨｐ、辺１と平行な第１の表示部１０１ａの辺の長さ（横幅）をＷｄ、辺２と平行な表示部１０１ａの長さ（縦幅）をＨｄとすると、以下の式（１）の関係を満たす。
Ｗｐ＞Ｈｐ、Ｗｄ＞Ｈｄ  （１）
【００５５】
すなわち、第１のパネル１０１の長手方向の辺の長さＷｐは第１の表示部１０１ａの短手方向の辺の長さＨｐより大きい。そして、第１のパネル１０１の長手方向の長さＷｄは第１の表示部１０１ａの長手方向の長さＨｄより大きい。また、本実施形態の第１のパネル１０１は以下の式（２）の関係を満たす。
Ｗｐ：Ｈｄ＝３：２      （２）
【００５６】
なお、式（２）に示したように、本実施形態では、第１のパネル１０１のＷｄとＨｄの比であるアスペクト比として、主に写真に多用される比率を採用したが、これに限定されるものではなく、その他の比率を採用するような構成であってもよい。
【００５７】
本実施形態の第１のパネル１０１では、第１のパネル１０１において、第１のパネル１０１の中心と第１の表示部１０１ａの中心とが略一致するように第１の表示部１０１ａを配置する。この状態で、第１のパネル１０１の縁部の幅（第１の表示部１０１ａの縁から第１のパネル１０１の縁までの距離）が、第１の表示部１０１ａの長手方向の長さＷｄと短手方向の長さＨｄと比較して１０分１以下の大きさとなる。この構成によって、第１のパネル１０１が第２のパネル１０２と連結された際に、第１の表示部１０１ａと第２の表示部１０２ａとの間の距離を比較的小さくすることができる。したがって、本実施形態の表示装置１００は、単一の画像を第１の表示部１０１ａと第２の表示部１０２ａとに分割して表示させる場合であっても、当該単一の画像を閲覧するユーザに与える違和感を抑制することができる。
【００５８】
なお、ユーザが、表示装置１００を用いて画像を閲覧する際の違和感を抑制するためには、第１のパネル１０１の縁部の幅はできるだけ小さくすることが望ましい。そこで、第１の表示部１０１ａを、第１のパネル１０１の中心から後述する溝部１０１ｃ１、１０１ｃ２および１０１ｄ１、１０１ｄ２方向にシフトさせて配置するような構成であってもよい。この構成であれば、展開状態の表示装置１００において、第１の表示部１０１ａと第２の表示部１０２ａと近づけることができるため、画像を閲覧する際にユーザに与える違和感を抑制することができる。
【００５９】
図３に図示するように、第１のパネル１０１には、正面（Ａ面）から下側面（辺１側の側面）を通過して背面（Ｂ面）まで延出した直線形状の溝部が設けられている。当該溝部のうち、第１のパネル１０１の下側面に設けられている溝部が溝部１０１ｂ１および溝部１０１ｂ２である。また、第１のパネル１０１のＢ面に設けられている溝部が溝部１０１ｄ１、溝部１０１ｄ２である。さらに、第１のパネル１０１の左側面に設けられている溝部が溝部１０１ｃ１、溝部１０１ｃ２である。
【００６０】
図３に図示するように、本実施形態の第１のパネル１０１は、辺１において、溝部１０１ｄ１の下側面側の端部と溝部１０１ｂ１の下側面側の端部の位置が一致する。また、第１のパネル１０１は、辺２において、溝部１０１ｄ１の左側面側の端部と溝部１０１ｃ１の左側面側の端部の位置とが一致する。すなわち、第１のパネル１０１には、溝部１０１ｂ１と溝部１０１ｄ１と溝部１０１ｃ１とによって、連続した一連の溝部が形成されている。同様に、第１のパネル１０１には、溝部１０１ｂ２と溝部１０１ｄ２と溝部１０１ｃ２とによって、連続した一連の溝部が形成されている。
【００６１】
ここで、第１のパネル１０１において、辺１に該当し、Ａ面と下側面とが略直交することで形成された角部を角部１０１ｇ１、１０１ｇ２とする。また、第１のパネル１０１において、辺１に該当し、下側面とＢ面とが略直交することで形成された角部を角部１０１ｈ１、１０１ｈ２とする。また、第１のパネル１０１において、辺２に該当し、Ｂ面と左側面とが略直交することで形成された角部を角部１０１ｉ１、１０１ｉ２とする。さらに、第１のパネル１０１において、辺２に該当し、左側面とＡ面とが略直交することで形成された角部を角部１０１ｊ１、１０１ｊ２とする。
【００６２】
このうち、角部１０１ｇ１、１０１ｈ１、１０１ｉ１、１０１ｊ１は、連続して形成された溝部１０１ｂ１、溝部１０１ｃ１、溝部１０１ｄ１に含まれている。また、角部１０１ｇ２、１０１ｈ２、１０１ｉ２、１０１ｊ２は、連続して形成された溝部１０１ｂ２、溝部１０１ｃ２、溝部１０１ｄ２に含まれている。
【００６３】
なお、上述した第１のパネル１０１と同様に、第２のパネル１０２の表面にも、溝部１０２ｂ１と溝部１０２ｃ１と溝部１０２ｄ１、および溝部１０２ｂ２と、溝部１０２ｃ２と、１０２ｄ１とによって、連続した一連の溝部が形成されている。第２のパネル１０２上のそれぞれの溝部は、前述した第１のパネル１０１に形成されている溝部に対応した位置に形成されている。この詳細については後述する。
【００６４】
なお、第１のパネル１０１及び第２のパネル１０２の正面（Ａ面）にも、上述した各溝部から連続した一連の溝部が設けられている。当該Ａ面上の溝部は、各パネル上に設けられた後述する固定部に向けて形成された溝部であって、各パネルの正面に導かれたワイヤーが、パネルの外装から突出することを防ぐために設けられている。
【００６５】
溝部１０１ｂ１および溝部１０１ｄ１は、第１のパネル１０１の下側面およびＢ面において、辺２から距離Ｌｂ１だけ離れた位置に形成されている。また、溝部１０１ｂ２および溝部１０１ｄ２は、第１のパネル１０１の下側面およびＢ面において、辺２から距離Ｌｂ２だけ離れた位置に形成されている。また、溝部１０１ｃ１は、第１のパネル１０１の左側面（辺２側の側面）において、辺１から距離Ｌｃ１だけ離れた位置に形成されている。また、溝部１０１ｃ２は、第１のパネル１０１の左側面（辺２側の側面）において、辺１から距離Ｌｃ２だけ離れた位置に形成されている。なお、距離Ｌｂ２は距離Ｌｂ１よりも大きく、距離Ｌｃ２は距離Ｌｃ１よりも大きい。
【００６６】
図４は、本発明の第１実施形態に係る表示装置１００の各パネルの溝部の拡大断面を例示的に説明した図である。図４に図示するように、第１のパネル１０１および第２のパネル１０２の表面に形成された各溝部は、各パネル上において、断面が有底のＶ字形状となる。
【００６７】
後述する各ワイヤーは、後述する固定部によって端部が固定された状態で、第１のパネル１０１および第２のパネル１０２の表面に形成された溝部に沿って当該溝部内に導かれる。なお、図４に図示するように、各ワイヤーは、所定の溝部内に導かれることで当該溝部に落ち込んだ状態となる。各ワイヤーの詳細については後述する。
【００６８】
次に、第１のパネル１０１に設けられた各固定部について説明する。図３に図示するように、第１のパネル１０１のＡ面の縁部であって第１の表示部１０１ａと重畳しない位置には、固定部１０１ｅ１、固定部１０１ｅ２、固定部１０１ｆ１、固定部１０１ｆ２が設けられている。固定部１０１ｅ１、１０１ｅ２、１０１ｆ１、１０１ｆ２のそれぞれは、後述するワイヤー１０３、１０４、１０５、１０６の一方の端部を固定する固定手段である。
【００６９】
なお、固定部１０１ｅ１および固定部１０１ｅ２は、第１のパネル１０１のＡ面の縁部のうち、下側面側近傍の位置に設けられている。また、固定部１０１ｆ１および固定部１０１ｆ２は、第１のパネル１０１のＡ面の縁部のうち、左側面側近傍の位置に設けられている。以上が第１のパネル１０１の説明である。
【００７０】
以下、第２のパネル１０２の詳細について説明する。なお、第２のパネル１０２の構成は、上述した第１のパネル１０１と略同一であるため、第２のパネル１０２と第１のパネル１０１との差異についてのみ以下に説明する。
【００７１】
前述した第１のパネル１０１と同様に、本実施形態の第２のパネル１０２には、溝部１０２ｂ１と溝部１０２ｄ１と溝部１０２ｃ１とによって、連続した一連の溝部が形成されている。また、第２のパネル１０２には、溝部１０２ｂ２と溝部１０２ｄ２と溝部１０２ｃ２とによって、連続した一連の溝部が形成されている。
【００７２】
また、上述した第１のパネル１０１と同様に、第２のパネル１０２にも角部１０２ｇ１、１０２ｇ２、１０２ｈ１、１０２ｈ２、１０２ｉ１、１０２ｉ２、１０２ｊ１、１０２ｊ２が形成されている。第２のパネル１０２において、辺３に該当し、Ａ面と下側面とが略直交することで形成された角部が角部１０２ｇ１、１０２ｇ２である。
【００７３】
第２のパネル１０２において、辺３に該当し、下側面とＢ面とが略直交することで形成された角部が角部１０２ｈ１、１０２ｈ２である。また、第１のパネル１０１において、辺４に該当し、Ｂ面と右側面とが略直交することで形成された角部が角部１０２ｉ１、１０２ｉ２である。さらに、第２のパネル１０２において、辺４に該当し、右側面とＡ面とが略直交することで形成された角部が角部１０２ｊ１、１０２ｊ２である。このうち、角部１０２ｇ１、１０２ｈ１、１０２ｉ１、１０２ｊ１は、連続して形成された溝部１０２ｂ１、溝部１０２ｃ１、溝部１０２ｄ１に含まれる。また、角部１０２ｇ２、１０２ｈ２、１０２ｉ２、１０２ｊ２は、連続して形成された溝部１０２ｂ２、溝部１０２ｃ２、溝部１０２ｄ２に含まれる。
【００７４】
第２のパネル１０２のＡ面の縁部であって第２の表示部１０２ａと重畳しない位置には、固定部１０２ｅ１、固定部１０２ｅ２、固定部１０２ｆ１、固定部１０２ｆ２が設けられている。固定部１０２ｅ１、１０２ｅ２、１０２ｆ１、１０２ｆ２のそれぞれは、後述するワイヤー１０３、１０４、１０５、１０６の一方の端部を固定する固定手段である。
【００７５】
なお、固定部１０２ｅ１はおよび固定部１０２ｅ２は、第２のパネル１０２のＡ面の縁部のうち、下側面側近傍の位置に設けられている。また、固定部１０２ｆ１および固定部１０２ｆ２は、第２のパネル１０２のＡ面の縁部のうち、左側面側近傍の位置に設けられている。以上が第２のパネル１０２の説明である。
【００７６】
以下、本実施形態における第１のパネル１０１および第２のパネル１０２の相対的な配置を変更可能に連結する連結手段であるワイヤー１０３〜１０６の詳細について説明する。ワイヤー１０３〜１０６は合成繊維や金属材料によって成形される線形状の連結手段であって、第１のパネル１０１と第２のパネル１０２とを折り畳み自在に連結している。
【００７７】
なお、ワイヤー１０３〜１０６はそれぞれ、線方向への弾性と、曲げ方向への柔軟性を有している。また、各ワイヤーの両端部は、端部同士が結合していない形状の連結手段である。すなわち、本実施形態のワイヤー１０３〜１０６は非ループ形状である。
【００７８】
上述したワイヤー１０３〜１０６は、各ワイヤーの線方向に張力が生じるように、両端が引っ張られた状態で各固定部に固定される。例えば、ワイヤー１０３であれば、表示装置１００の展開状態および折り畳み状態（収納状態または両面状態）のそれぞれにおいて、少なくともワイヤー１０３が撓まないように固定部１０１ｅ１と固定部１０２ｆ１とに固定されている。
【００７９】
ワイヤー１０３〜１０６には、ユーザが表示装置１００の状態を変更する（展開する、または折り畳む）際に加える外力などが加わる。当該外力によって、ワイヤーが溝部から脱落することを防ぐためには、ワイヤーの張力を増加させ、緩みを小さくすることが望ましい。具体的には、上述した外力によって、ワイヤーが切れること防止するためには、ワイヤーの張力を、ワイヤーの引っ張り強度から計算される所定の値以下に低減することが望ましい。すなわち、溝部からのワイヤーの脱落およびワイヤーの破損等を考慮した信頼性を確保するために、各ワイヤーの張力を望ましい範囲に収める必要がある。しかしながら、部品の加工精度や組み付け精度によって、各ワイヤーの張力は設計値からばらつく。
【００８０】
そこで、本実施形態では、ワイヤー１０３〜１０６として独立した１つの部材を採用し、上述した張力変更部１１５を第１のパネル１０１に設けることによって、上述の問題を解決する。
【００８１】
本実施形態の張力変更部１１５について説明する。各固定部は、ワイヤーを巻き付け可能な固定ピン（不図示）および、当該固定ピンを回転させるための回転機構（不図示）を有している。
【００８２】
また、前述した各固定部に対応した第１のパネル１０１と第２のパネル１０２の各位置には、それぞれ孔部が設けられている。当該孔部の内部には前述した回転機構が設けられている。そして、上述した固定ピンは、ワイヤーが所定量巻き付けられた状態で当該孔部に挿通され、当該孔部の内部において、回転機構と固定ピンと係合した状態となる。
【００８３】
そして、第１の制御部１１０の指示により、上述した回転機構が各固定ピンを回転させることによって、各固定ピンによるワイヤーの巻き取り量が制御される。この構成によって、各固定部に設けられた固定ピンと回転機構によって、ワイヤー１０３〜１０６の張力が変更される。すなわち、本実施形態では、上述した固定ピンおよび回転機構を含む各固定部が張力変更部１１５に該当する。
【００８４】
なお、上述した固定ピンの周囲には、ワイヤーを巻き取るための溝部が形成されている。そして、固定ピンの外径を、孔部の内径よりも若干大きく設定する。この状態で、孔部の内部と固定ピンの外部とが所定の摩擦力を生じながら互いに慴動するので、固定ピンが孔部から脱落することを防止することができる。
【００８５】
以上説明した構成によって、本実施形態の表示装置１００は、各ワイヤーの張力を独立して調整することができる。したがって、各ワイヤーが対応する溝部から脱落することや、破損することを防ぐことができる。
【００８６】
また、上述した構成によって、本実施形態の表示装置１００は、各表示部に表示させる画像の種類に応じて、各ワイヤーの張力を変更できる。すなわち、本実施形態の表示装置１００は、各ワイヤーの張力を変更することにより、各パネル同士の相対的な配置を維持する維持力を変更することができる。この詳細については後述する。
【００８７】
なお、張力変更部１１５により、ワイヤー１０３の張力を調節したとしても、その他のワイヤー１０４〜１０６の張力は変化しない。すなわち、本実施形態の表示装置１００では、調節が必要なワイヤーの張力のみを独立して調節することができる。以上がワイヤー１０３〜１０６の説明である。
【００８８】
なお、本実施形態では、表示装置１００を横展開状態にした場合、第１のパネル１０１と第２のパネル１０２の各溝部および各固定部同士は、辺２と辺４を中心線とした線対称の関係となる位置に設けられる。また、表示装置１００を縦展開状態にした場合、第１のパネル１０１と第２のパネル１０２の各溝部および各固定部同士は、辺１と辺３を中心線とした線対称の関係となる位置に設けられる。この詳細については後述する。
【００８９】
また、本実施形態の表示装置１００では、各ワイヤーを固定し、各ワイヤーの張力を変更可能な固定部として、上述した固定ピンおよび回転機構を用いたような構成であるが、これに限定されるものではない。例えば、各ワイヤーの張力を独立して変更できるような構成であれば、各固定部として上述したもの以外を採用するような構成であってもよい。例えば、ワイヤーの端部を各パネルに設けたフックなどへの引っかけ可能であって、当該フックによるワイヤーの引っ張り量を制御する方法を採用することができる。
【００９０】
次に、図５を参照して表示装置１００の各状態について説明する。図５は、本発明を実施する表示装置の第１実施形態である表示装置１００の展開状態および折り畳み状態を例示的に説明する図であって、表示装置１００の各状態における三面図（正面図、右側面図、下側面図）を示している。図５（ａ）は、表示装置１００の収納状態Ａを例示的に説明した図である。
【００９１】
表示装置１００は収納状態Ａで、各パネルＡ面およびＢ面と直交する方向において、第１のパネル１０１の辺１と第２のパネル１０２辺３とが一致し、第１のパネル１０１の辺２と第２のパネル１０２の辺４とが一致する。
【００９２】
図５（ｂ）は、表示装置１００の横展開状態を例示的に説明した図であって図５（ａ）に図示する矢印方向に第２のパネル１０２を相対的に略１８０度回動させた（展開させた）状態を示している。表示装置１００は横展開状態において、第１のパネル１０１の辺１の延長線上に連続して第２のパネル１０２の辺３が位置し、第１のパネル１０１および第２のパネル１０２のＡ面およびＢ面同士がそれぞれ同一の方向を向く。
【００９３】
図５（ｃ）は、表示装置１００の両面状態を例示的に説明する図であって、図５（ｂ）に図示する矢印方向に第２のパネル１０２を相対的に略１８０度回動させた（折り畳んだ）状態を示している。
【００９４】
表示装置１００は両面状態において、前述した収納状態と同様に、各パネルＡ面およびＢ面と直交する方向において、第１のパネル１０１の辺１と第２のパネル１０２の辺３とが一致し、第１のパネル１０１の辺２と第２のパネル１０２の辺４とが一致する。
【００９５】
図５（ｄ）は、表示装置１００の縦展開状態を例示的に説明する図であって、図５（ｃ）に図示する矢印方向に第２のパネル１０２を相対的に略１８０度回動させた（展開させた）状態を示している。表示装置１００は縦展開状態において、第１のパネル１０１の辺２の延長線上に連続して第２のパネル１０２の辺４が位置し、第１のパネル１０１および第２のパネル１０２のＡ面およびＢ面同士がそれぞれ同一の方向を向く。
【００９６】
図５（ｅ）は、表示装置１００の収納状態Ｂを例示的に説明した図であって、図５（ｄ）に図示する矢印の方向に第２のパネル１０２を相対的に略１８０度回動させた（折り畳んだ）状態を示している。表示装置１００は収納状態Ｂにおいても、収納状態Ａと同様に、各パネルのＡ面およびＢ面と直交する方向において、第１のパネル１０１の辺１と第２のパネル１０２の辺３とが一致し、第１のパネル１０１の辺２と第２のパネル１０２の辺４とが一致する。
【００９７】
以下、図５（ａ）〜図５（ｅ）を参照して、表示装置１００の各状態においける各ワイヤーの位置について詳細を説明する。
【００９８】
図５の各図に図示するように、ワイヤー１０３は、一方の端部が第１のパネル１０１の固定部１０１ｅ１に固定され、他方の端部が第２のパネル１０２の固定部１０２ｆ１に固定されている。また、ワイヤー１０４は、一方の端部が第１のパネル１０１の固定部１０１ｅ２に固定され、他方の端部が第２のパネル１０２の固定部１０２ｆ２に固定されている。また、ワイヤー１０５は、一方の端部が第２のパネル１０２の固定部１０２ｅ１に固定され、他方の端部が第１のパネル１０１の固定部１０１ｆ１に固定されている。また、ワイヤー１０６は、一方の端部が第２のパネル１０２の固定部１０２ｅ２に固定され、他方の端部が第１のパネル１０１の固定部１０１ｆ２に固定されている。
【００９９】
まず、図５（ａ）を参照して、表示装置１００の収納状態Ａについて説明する。表示装置１００は収納状態Ａで、固定部１０１ｅ１で固定されたワイヤー１０３が、溝部１０１ｂ１、溝部１０１ｄ１、溝部１０１ｃ１に沿い、第１のパネル１０１の下側面、Ｂ面、左側面と接しつつ（経由して）固定部１０２ｆ１に固定される。また、表示装置１００は収納状態Ａで、固定部１０１ｅ２に固定されたワイヤー１０４が、溝部１０１ｂ２、溝部１０１ｄ２、溝部１０１ｃ２に沿い、第１のパネル１０１の下側面、Ｂ面、左側面を接しつつ固定部１０２ｆ２に固定される。また、表示装置１００は収納状態Ａで、固定部１０２ｅ１に固定されたワイヤー１０５が、溝部１０２ｂ１、溝部１０２ｄ１、溝部１０２ｃ１に沿い、第２のパネル１０２の下側面、Ｂ面、右側面と接しつつ固定部１０１ｆ１に固定される。また、表示装置１００は収納状態Ａで、固定部１０２ｅ２に固定されたワイヤー１０６が、溝部１０２ｂ２、溝部１０２ｄ２、溝部１０２ｃ２に沿い、第２のパネル１０２の下側面、Ｂ面、右側面と接しつつ固定部１０１ｆ２に固定される。
【０１００】
次に、図５（ｂ）を参照して、表示装置１００の横展開状態について説明する。なお、表示装置１００の横展開状態において、各ワイヤーは、前述した収納状態Ａと同様の溝部に導かれるため、以降は、横展開状態と収納状態Ａとの違いについて説明する。
【０１０１】
表示装置１００の横展開状態でワイヤー１０３は、第１のパネル１０１と第２のパネル１０２との間を通って第２のパネル１０２のＡ面へと向かう。同様に、ワイヤー１０５は、第１のパネル１０１と第２のパネル１０２との間を通って第１のパネル１０１のＡ面へと向かう。
【０１０２】
なお、第１のパネル１０１と第２のパネル１０２との間とは、第１のパネル１０１に形成された溝部１０１ｃ１と第２のパネル１０２に形成された溝部１０２ｃ１の双方によって形成された空間を示している。
【０１０３】
また、表示装置１００の横展開状態でワイヤー１０４は、第１のパネル１０１と第２のパネル１０２との間を通って第２のパネル１０２のＡ面へと向かう。同様に、ワイヤー１０６は、第１のパネル１０１と第２のパネル１０２との間を通って第１のパネル１０１のＡ面へと向かう。なお、第１のパネル１０１と第２のパネル１０２との間とは、第１のパネル１０１に形成された溝部１０１ｃ２と第２のパネル１０２に形成された溝部１０２ｃ２の双方によって形成された空間を示している。
【０１０４】
なお、表示装置１００の横展開状態において、ワイヤー１０３のうち、溝部１０１ｄ１に沿ってＢ面上を通過する（Ｂ面と接する）部分を通過部１０３ｃとする。また、ワイヤー１０４のうち、溝部１０１ｄ２に沿ってＢ面を通過する（Ｂ面と接する）部分を通過部１０４ｃとする。同様に、ワイヤー１０５のうち、溝部１０２ｄ１に沿ってＢ面上を通過する（Ｂ面と接する）部分を通過部１０５ｃとする。そして、ワイヤー１０６のうち、溝部１０２ｄ２に沿ってＢ面上を通過する（Ｂ面と接する）部分を通過部１０６ｃとする。
【０１０５】
なお、表示装置１００が横展開状態である場合、ワイヤー１０３は、少なくとも、第１のパネル１０１の角部１０１ｇ１、１０１ｈ１、１０１ｉ１、第２のパネル１０２の角部１０２ｊ１と接触する。また、表示装置１００が横展開状態である場合、ワイヤー１０４は、少なくとも、第１のパネル１０１の角部１０１ｇ２、１０１ｈ２、１０１ｉ２、第２のパネル１０２の角部１０２ｊ２と接触する。また、表示装置１００が横展開状態である場合、ワイヤー１０５は、少なくとも、第２のパネル１０２の角部１０２ｇ１、１０２ｈ１、１０２ｉ１、第１のパネル１０１の角部１０１ｊ１と接触する。さらに、表示装置１００が横展開状態である場合、ワイヤー１０６は、少なくとも、第２のパネル１０２の角部１０２ｇ２、１０２ｈ２、１０２ｉ２、第１のパネル１０１の角部１０１ｊ２と接触する。
【０１０６】
次に、図５（ｃ）を参照して、表示装置１００の両面状態について説明する。表示装置１００が両面状態である場合、固定部１０１ｅ１で固定されたワイヤー１０３が、溝部１０１ｂ１、溝部１０２ｃ１に沿い、第１のパネル１０１の下側面と第２のパネル１０２の右側面と接しつつ固定部１０２ｆ１に固定される。
【０１０７】
なお、ワイヤー１０３は、第１のパネル１０１および第２のパネル１０２のＢ面上において、第１のパネル１０１と第２のパネルの間を通過する。当該第１のパネル１０１と第２のパネル１０２との間とは、第１のパネル１０１に形成された溝部１０１ｄ１と第２のパネル１０２に形成された溝部１０２ｄ１の双方によって形成された空間である。
【０１０８】
また、表示装置１００は両面状態で、固定部１０１ｅ２で固定されたワイヤー１０４が、溝部１０１ｂ２、溝部１０２ｃ２に沿い、第１のパネル１０１の下側面と第２のパネル１０２の右側面と接しつつ固定部１０２ｆ２に固定される。なお、ワイヤー１０４は、第１のパネル１０１および第２のパネル１０２のＢ面上において、第１のパネル１０１と第２のパネルの間を通過する。当該第１のパネル１０１と第２のパネル１０２との間とは、第１のパネル１０１に形成された溝部１０１ｄ２と第２のパネル１０２に形成された溝部１０２ｄ２の双方によって形成された空間を示している。
【０１０９】
また、表示装置１００は両面状態で、固定部１０２ｅ１で固定されたワイヤー１０５が、溝部１０２ｂ１、溝部１０１ｃ１に沿い、第２のパネル１０２の下側面と第１のパネル１０１の左側面と接しつつ固定部１０１ｆ１に固定される。なお、ワイヤー１０５も前述したワイヤー１０３と同様に、第１のパネル１０１および第２のパネル１０２のＢ面上において、第１のパネル１０１と第２のパネルの間を通過する。
【０１１０】
また、表示装置１００は両面状態で、固定部１０２ｅ２で固定されたワイヤー１０６が、溝部１０２ｂ２、溝部１０１ｃ２に沿い、第２のパネル１０２の下側面と第１のパネル１０１の左側面と接しつつ固定部１０１ｆ２に固定される。なお、ワイヤー１０６も前述したワイヤー１０４と同様に、第１のパネル１０１および第２のパネル１０２のＢ面上において、第１のパネル１０１と第２のパネルの間を通過する。
【０１１１】
次に、図５（ｄ）を参照して、表示装置１００の縦展開状態について説明する。表示装置１００は縦展開状態で、固定部１０１ｅ１で固定されたワイヤー１０３が、溝部１０２ｄ１、溝部１０２ｃ１に沿い、第２のパネル１０２のＢ面と右側面と接しつつ固定部１０２ｆ１に固定される。なお、ワイヤー１０３は、第１のパネル１０１および第２のパネル１０２の下側面上において、第１のパネル１０１と第２のパネルの間を通過する。当該第１のパネル１０１と第２のパネル１０２との間とは、第１のパネル１０１に形成された溝部１０１ｂ１と第２のパネル１０２に形成された溝部１０２ｂ１の双方によって形成された空間を示している。
【０１１２】
また、表示装置１００は縦展開状態で、固定部１０１ｅ２で固定されたワイヤー１０４が、溝部１０２ｄ２、溝部１０２ｃ２に沿い、第２のパネル１０２のＢ面と右側面と接しつつ固定部１０２ｆ２に固定される。なお、ワイヤー１０４は、第１のパネル１０１および第２のパネル１０２の下側面上において、第１のパネル１０１と第２のパネルの間を通過する。当該第１のパネル１０１と第２のパネル１０２との間とは、第１のパネル１０１に形成された溝部１０１ｂ２と第２のパネル１０２に形成された溝部１０２ｂ２の双方によって形成された空間である。
【０１１３】
また、表示装置１００は縦展開状態で、固定部１０２ｅ１で固定されたワイヤー１０５が、溝部１０１ｄ１、溝部１０１ｃ１に沿い、第１のパネル１０１のＢ面と左側面と接しつつ固定部１０１ｆ１に固定される。なお、ワイヤー１０５も前述したワイヤー１０３と同様に、第１のパネル１０１および第２のパネル１０２の下側面側において、第１のパネル１０１と第２のパネルの間を通過する。
【０１１４】
また、表示装置１００は縦展開状態で、固定部１０２ｅ２で固定されたワイヤー１０６が、溝部１０１ｄ２、溝部１０１ｃ２に沿い、第１のパネル１０１のＢ面と左側面と接しつつ固定部１０１ｆ２に固定される。なお、ワイヤー１０６も前述したワイヤー１０４と同様に、第１のパネル１０１および第２のパネル１０２の下側面側において、第１のパネル１０１と第２のパネルの間を通過する。
【０１１５】
なお、表示装置１００が縦展開状態である場合、ワイヤー１０３は、少なくとも、第２のパネル１０２の角部１０２ｊ１、１０２ｉ１、１０２ｊ１、第１のパネル１０１の角部１０１ｇ１と接触する。また、表示装置１００が縦展開状態である場合、ワイヤー１０４は、少なくとも、第２のパネル１０２の角部１０２ｊ２、１０２ｉ２、１０２ｊ２、第１のパネル１０１の角部１０１ｇ２と接触する。また、表示装置１００が縦展開状態である場合、ワイヤー１０５は、少なくとも、第１のパネル１０１の角部１０１ｊ１、１０１ｉ１、１０１ｊ１、第２のパネル１０２の角部１０２ｇ１と接触する。さらに、表示装置１００が縦展開状態である場合、ワイヤー１０６は、少なくとも、第１のパネル１０１の角部１０１ｊ２、１０１ｉ２、１０１ｊ２、第２のパネル１０２の角部１０２ｇ２と接触する。
【０１１６】
次に、図５（ｅ）を参照して、表示装置１００の収納状態Ｂについて説明する。表示装置１００は収納状態Ｂで、固定部１０１ｅ１で固定されたワイヤー１０３が、溝部１０２ｂ１、溝部１０２ｄ１、溝部１０２ｃ１に沿い、第２のパネル１０２の下側面、Ｂ面、右側面と接しつつ固定部１０２ｆ１に固定される。
【０１１７】
また、表示装置１００は収納状態Ｂで、固定部１０１ｅ２で固定されたワイヤー１０４が、溝部１０２ｂ２、溝部１０２ｄ２、溝部１０２ｃ２に沿い、第２のパネル１０２の下側面、Ｂ面、右側面と接しつつ固定部１０２ｆ２に固定される。
【０１１８】
また、表示装置１００は、収納状態Ｂで、固定部１０２ｅ１で固定されたワイヤー１０５が、溝部１０１ｂ１、溝部１０１ｄ１、溝部１０１ｃ１に沿い、第１のパネル１０１の下側面、Ｂ面、左側面と接しつつ固定部１０１ｆ１に固定される。
【０１１９】
また、表示装置１００は収納状態Ｂで、固定部１０２ｅ２で固定されたワイヤー１０６が、溝部１０１ｂ２、溝部１０１ｄ２、溝部１０１ｃ２に沿い、第１のパネル１０１の下側面、Ｂ面、左側面と接しつつ固定部１０１ｆ２に固定される。
【０１２０】
以上説明したように、本実施形態の表示装置１００は、第１のパネル１０１と第２のパネル１０２の相対的な配置を変更することで、上述した各状態に展開および折り畳むことができる。具体的には、収納状態Ａを基準として、収納状態Ａ、横展開状態、両面状態、縦展開状態、収納状態Ｂの順またはその逆順に、表示装置１００を展開および折り畳むことができる。すなわち、本実施形態の表示装置１００は、各筐体間において、延長線上に位置する辺同士が異なるように、各筐体同士の相対的な配置を変更することができる。
【０１２１】
ここで、ワイヤー１０３は、表示装置１００の横展開状態において第１のパネル１０１のＢ面に形成された溝部１０１ｄ１の内部に導かれるのに対して、縦展開状態において第２のパネル１０２のＢ面に形成された溝部１０２ｄ１の内部に導かれる。なお、ワイヤー１０４〜１０６についても、ワイヤー１０３と同様に、表示装置１００の展開状態に応じて導かれる溝部がそれぞれ変化する。
【０１２２】
すなわち、本実施形態のワイヤー１０３〜１０６は、表示装置１００の状態に応じて、第１のパネル１０１に形成された溝部と第２のパネル１０２に形成された溝部との間を移動する構成である。この構成により、本実施形態の表示装置１００は、第１のパネル１０１と第２のパネル１０２の相対的な配置を変更して、上述した各状態へと変更する（展開および折り畳む）ことができる。
【０１２３】
また、ワイヤー１０３〜１０６の大部分は、表示装置１００の状態が横展開状態である場合と縦展開状態である場合とで、Ａ面およびＢ面と直交する方向で重畳するパネル（または表示部）がそれぞれ変化する（入れ替わる）。例えば、各パネルのＡ面およびＢ面と直交する方向において、ワイヤー１０３の大部分は、表示装置１００の横展開状態で第１のパネル１０１と重畳し、縦展開状態で第２のパネル１０２と重畳する。これに対して、各パネルのＡ面およびＢ面と直交する方向において、ワイヤー１０５の大部分は、表示装置１００の横展開状態で第２のパネル１０２と重畳し、縦展開状態で第１のパネル１０１と重畳する。
【０１２４】
なお、本実施形態の表示装置１００は、上述したように、横展開状態、両面状態、縦展開状態において、各ワイヤーが、第１のパネル１０１と第２のパネル１０２との間に形成された各空間を通過するような構成である。この際、ワイヤー１０３とワイヤー１０５、およびワイヤー１０４とワイヤー１０６とは、上述した各空間において互いに交差している。以下、この点について図６〜８を参照して詳細を説明する。
【０１２５】
図６は、本発明を実施した表示装置の第１実施形態である表示装置１００の状態を横展開状態から収納状態Ａに変更する（折り畳む）場合を例示的に説明する図である。図６（ａ）は、表示装置１００を下側面側から見た、表示装置１００の横展開状態を例示的に説明する拡大図である。図６（ｂ）は、表示装置１００を下側面側から見た場合の、表示装置１００の横展開状態から収納状態Ａへの移行状態を例示的に説明する拡大図である。図６（ｂ）に図示する表示装置１００は、図６（ａ）の状態から第２のパネル１０２を相対的に略９０度回動させた状態を示している。図６（ｃ）は、表示装置１００を下側面側から見た場合の、表示装置１００の収納状態Ａを例示的に説明する拡大図である。図６（ｃ）に図示する表示装置１００は、図６（ｂ）の状態から第２のパネル１０２を相対的に９０度回動させた状態を示している。
【０１２６】
以下、図６（ａ）〜（ｃ）を参照して、図６（ａ）に図示する矢印Ｃの方向に向けて、表示装置１００を横展開状態から収納状態Ａへと変更する場合のワイヤー１０３、１０５の動作について説明する。なお、ワイヤー１０４およびワイヤー１０６の動作については、ワイヤー１０３およびワイヤー１０５と略同一なので説明は省略する。
【０１２７】
図６（ａ）に図示するように、表示装置１００の横展開状態において、ワイヤー１０３は、第１のパネル１０１の第１の辺に該当するＡ面側の角部１０１ｇ１とＢ面側の角部１０１ｈ１、第２の辺に該当するＢ面側の角部１０１ｉ１とそれぞれ接している。そして、第１パネル１０１の角部１０１ｉ１と第２のパネル１０２の第４の辺に該当するＡ面側の角部１０２ｊ１に支持されている。この状態でワイヤー１０３は、溝部１０１ｃ１と溝部１０２ｃ１との間に形成された空間を通過する。
【０１２８】
また、表示装置１００の横展開状態において、ワイヤー１０５は、第２のパネル１０２の第３の辺に該当するＡ面側の角部１０２ｇ１とＢ面側の角部１０２ｈ１、第２の辺に該当するＢ面側の角部１０２ｉ１とそれぞれ接している。そして、第２パネル１０２の溝部１０２ｃ１のＢ面側の角部１０２ｉ１と第１のパネル１０１の溝部１０１ｃ１の第２の辺に該当するＡ面側の角部１０１ｊ１に支持される。この状態でワイヤー１０５は、溝部１０１ｃ１と溝部１０２ｃ１との間に形成された空間を通過する。
【０１２９】
そして、図６（ａ）に図示するように、ワイヤー１０３とワイヤー１０５とは、第１パネル１０１の溝部１０１ｃ１と第２パネル１０２の溝部１０２ｃ１によって形成される空間の中で交差している。この際、ワイヤー１０３とワイヤー１０５は、第１のパネル１０１と第２のパネル１０２のＡ面とＢ面の間の略中間の位置で交差している。
【０１３０】
次に、図６（ｂ）に図示する表示装置１００の移行状態では、ワイヤー１０３とワイヤー１０５の交差位置が、第２のパネル１０２の折り畳みに伴って、第１のパネル１０１および第２のパネル１０２のＡ面側へと移行する。
【０１３１】
次に、図６（ｃ）に図示する表示装置１００の収納状態Ａにおいて、ワイヤー１０３は、第２のパネル１０２の固定部１０２ｆ１と第１のパネル１０１の溝部１０１ｃ１のＡ面側の角部１０１ｉ１に支持される。また、ワイヤー１０５は、第１のパネル１０１の固定部１０１ｆ１と第２のパネル１０２の溝部１０２ｃ１のＡ面側の角部１０２ｉ１に支持される。
【０１３２】
図６（ｃ）に図示するように、表示装置１００の収納状態Ａでは、ワイヤー１０３とワイヤー１０５が、第１のパネル１０１のＡ面と第２のパネル１０２のＡ面との間で交差する。具体的には、第１のパネル１０１と第２のパネル１０２のＡ面上に形成された溝部同士によって形成された空間において、ワイヤー１０３とワイヤー１０５とが交差する。
【０１３３】
以上説明したように、表示装置１００を横展開状態から収納状態Ａへと折り畳む動作に伴って、各ワイヤーを支持する位置が変化する。そして、ワイヤーを支持する位置が変化することに応じて、各ワイヤー同士が交差する位置が第１のパネル１０１および第２のパネル１０２のＡ面とＢ面との間の位置からＡ面側へと移行する。この構成によって、ワイヤーが対応する溝部から脱落することなく表示装置１００を折り畳むことができる。
【０１３４】
なお、表示装置１００の状態を収納状態Ａから横展開状態へと変更（展開）する場合は、上述の動きとは逆の順序で各ワイヤーが動作する。また、表示装置１００の縦展開状態から収納状態Ｂへの移行、または収納状態Ｂから縦展開状態への移行動作は、前述した表示装置１００の横展開状態から収納状態Ａへの移行、または収納状態Ａから横展開状態への移行動作と同様であるので説明は省略する。
【０１３５】
図７は、本発明を実施した表示装置の第１実施形態である表示装置１００の状態を横展開状態から両面状態に変更する（折り畳む）場合を例示的に説明する図である。図７（ａ）は、表示装置１００を下側面側から見た、表示装置１００の横展開状態を例示的に説明する拡大図である。図７（ｂ）は、表示装置１００を下側面側から見た、表示装置１００の横展開状態から両面状態への移行状態を例示的に説明する拡大図であって、図７（ａ）の状態から第２のパネル１０２を相対的に略４５度回動させた状態を示している。図７（ｃ）は、表示装置１００を下側面側から見た、表示装置１００の横展開状態から両面状態への移行状態を例示的に説明する拡大図であって、図７（ａ）の状態から第２のパネル１０２を相対的に略９０度回動させた状態を示している。図７（ｄ）は、表示装置１００を下側面側から見た、表示装置１００の横展開状態から両面状態への移行状態を例示的に説明する拡大図であって、図７（ａ）の状態から第２のパネル１０２を相対的に略１３５度回動させた状態を示している。図７（ｅ）は、表示装置１００を下側面側から見た、表示装置１００の両面状態を例示的に説明する拡大図であって、図７（ａ）の状態から第２のパネル１０２を相対的に略１８０度回動させた状態を示している。以下、図７（ａ）〜（ｅ）を参照して、図７（ａ）に示す矢印Ｄ方向に、表示装置１００を横展開状態から両面状態へと移行させる際のワイヤー１０３、１０５の動きについて説明する。なお、ワイヤー１０４およびワイヤー１０６の動きについては、ワイヤー１０３およびワイヤー１０５と同様なので説明は省略する。また、図７（ａ）の矢印Ｄ方向は、図６（ａ）で図示した矢印Ｃ方向とは反対方向である。
【０１３６】
図７（ａ）に図示する表示装置１００の横展開状態については、前述した通りなので説明を省略する。次に、図７（ｂ）に図示する表示装置１００の移行状態では、ワイヤー１０３とワイヤー１０５の交差位置が、第２のパネル１０２の折り畳みに伴って、第１のパネル１０１および第２のパネル１０２のＢ面側へと移行する。なお、この際のワイヤー１０３およびワイヤー１０５を支持する位置は、表示装置１００の横展開状態と略同一である。
【０１３７】
次に、図７（ｃ）に図示する表示装置１００の移行状態で、ワイヤー１０３は、第２のパネル１０２の溝部１０２ｃ１のＡ面側の端と第１のパネル１０１の溝部１０１ｂ１のＢ面側の端に支持される。また、ワイヤー１０５は、第１のパネル１０１の溝部１０１ｃ１のＡ面側の端と第２のパネル１０２の溝部１０２ｂ１のＢ面側の端に支持される。この際、ワイヤー１０３とワイヤー１０５の交差位置が、第２のパネル１０２の折り畳みに伴って、第１のパネル１０１および第２のパネル１０２のＢ面の端部近傍へと移行する。
【０１３８】
次に、図７（ｄ）に図示する表示装置１００の移行状態で、ワイヤー１０３は、第２のパネル１０２の溝部１０２ｃ１のＢ面側の端と第１のパネル１０１の溝部１０１ｂ１のＢ面側の端に支持される。また、ワイヤー１０５は、第１のパネル１０１の溝部１０１ｃ１のＢ面側の端と第２のパネル１０２の溝部１０２ｂ１のＢ面側の端に支持される。この状態で、ワイヤー１０３とワイヤー１０５の交差位置が、第２のパネル１０２の折り畳みに伴って、第１のパネル１０１のＢ面と第２のパネル１０２のＢ面の間へと移行する。なお、この状態で当該交差位置は、溝部１０１ｄ１と溝部１０２ｄ１との間に形成された空間には位置していない。
【０１３９】
次に、図７（ｅ）に図示する表示装置１００の両面状態で、ワイヤー１０３とワイヤー１０５とが、図７（ｄ）に図示した状態と同様の位置で支持され、溝部１０１ｄ１と溝部１０２ｄ１との間に形成された空間で交差する。
【０１４０】
以上説明したように、表示装置１００を横展開状態から両面状態へと折り畳む動作に伴って、各ワイヤーを支持する位置が変化する。そして、ワイヤーを支持する位置が変化することに応じて、各ワイヤー同士が交差する位置が第１のパネル１０１および第２のパネル１０２のＡ面とＢ面との間の位置からＢ面側へと移行する。この構成によって、ワイヤーが対応する溝部から脱落することなく表示装置１００の状態を変更（変形）させることができる。なお、表示装置１００の状態を両面状態から横展開状態へと変更（展開）する場合は、上述の動きとは逆の順序で各ワイヤーが動作する。
【０１４１】
図８は、本発明を実施した表示装置の第１実施形態である表示装置１００の状態を縦展開状態から両面状態へと変更する（折り畳む）場合を例示的に説明する図である。なお、図８の各図は、表示装置１００を左側面（第２のパネル１０２の右側面）側から見た図であって、説明のために前述した図６および図７に合わせて、表示装置１００を略９０度回転させた状態を示している。
【０１４２】
図８（ａ）は、表示装置１００を左側面側から見た、表示装置１００の縦展開状態を例示的に説明する拡大図である。図８（ｂ）は、表示装置１００を左側面側から見た、表示装置１００の縦展開状態から両面状態への移行状態を例示的に説明する拡大図であって、図８（ａ）の状態から第１のパネル１０１を相対的に略４５度回動させた状態を示している。図８（ｃ）は、表示装置１００を左側面側から見た、表示装置１００の縦展開状態から両面状態への移行状態を例示的に説明する拡大図であって、図８（ａ）の状態から第１のパネル１０１を相対的に略９０度回動させた状態を示している。図８（ｄ）は、表示装置１００を左側面側から見た、表示装置１００の縦展開状態から両面状態への移行状態を例示的に説明する拡大図であって、図８（ａ）の状態から第１のパネル１０１を相対的に略１３５度回動させた状態を示している。図８（ｅ）は、表示装置１００を左側面側から見た、表示装置１００の両面状態を例示的に説明する拡大図であって、図８（ａ）の状態から第１のパネル１０１を相対的に略１８０度回動させた状態を示している。以下、図８（ａ）〜（ｅ）を参照して、図８（ａ）に示す矢印Ｅ方向に、表示装置１００を縦展開状態から両面状態へと移行させる際のワイヤー１０３、１０５の動きについて説明する。なお、ワイヤー１０４およびワイヤー１０６の動きについては、ワイヤー１０３およびワイヤー１０５と同様なので説明は省略する。
【０１４３】
図８（ａ）に図示するように、表示装置１００の縦展開状態において、ワイヤー１０３は、第２のパネル１０２の第４の辺に該当するＡ面側の角部１０２ｊ１とＢ面側の角部１０２ｉ１、第３の辺に該当するＢ面側の角部１０２ｈｉ１とそれぞれ接している。そして、第２パネル１０２の角部１０２ｈ１と第１のパネル１０１の第１の辺に該当するＡ面側の角部１０１ｇ１に支持されている。この状態でワイヤー１０３は、溝部１０１ｂ１と溝部１０２ｂ１との間に形成された空間を通過する。
【０１４４】
また、表示装置１００の縦展開状態において、ワイヤー１０５は、第１のパネル１０１の第２の辺に該当するＡ面側の角部１０１ｊ１とＢ面側の角部１０１ｉ１、第１の辺に該当するＢ面側の角部１０１ｈ１とそれぞれ接している。そして、第１パネル１０１の角部１０１ｈ１と第２のパネル１０２の第３の辺に該当するＡ面側の角部１０２ｇ１に支持されている。この状態でワイヤー１０５は、溝部１０１ｂ１と溝部１０２ｂ１との間に形成された空間を通過する。
【０１４５】
そして、図８（ａ）に図示するように、ワイヤー１０３とワイヤー１０５とは、第１パネル１０１の溝部１０１ｂ１と第２パネル１０２の溝部１０２ｂ１によって形成される空間の中で交差している。この際、ワイヤー１０３とワイヤー１０５は、第１のパネル１０１と第２のパネル１０２のＡ面とＢ面の間の略中間の位置で交差する。
【０１４６】
次に、図８（ｂ）に図示する表示装置１００の移行状態では、ワイヤー１０３とワイヤー１０５の交差位置が、第２のパネル１０２の折り畳みに伴って、第１のパネル１０１および第２のパネル１０２のＢ面側へと移行する。なお、この際のワイヤー１０３およびワイヤー１０５を支持する位置は、表示装置１００の縦展開状態と略同一である。
【０１４７】
次に、図８（ｃ）に図示する表示装置１００の移行状態で、ワイヤー１０３は、第１のパネル１０１の溝部１０１ｂ１のＡ面側の端と第２パネル１０２の溝部１０２ｃ１のＢ面側の端に支持される。また、ワイヤー１０５は、第２のパネル１０２の溝部１０２ｂ１のＡ面側の端と第１のパネル１０１の溝部１０１ｃ１のＢ面側の端に支持される。
【０１４８】
また、この際、ワイヤー１０３とワイヤー１０５の交差位置が、第２のパネル１０２の折り畳みに伴って、第１のパネル１０１および第２のパネル１０２のＢ面の端部近傍へと移行する。
【０１４９】
次に、図８（ｄ）に図示する表示装置１００の移行状態で、ワイヤー１０３は、第１のパネル１０１の溝部１０１ｂ１のＢ面側の端と第２のパネル１０２の溝部１０２ｃ１のＢ面側の端に支持される。また、ワイヤー１０５は、第２のパネル１０２の溝部１０２ｂ１のＢ面側の端と第１のパネル１０１の溝部１０１ｃ１のＢ面側の端に支持される。
【０１５０】
この状態で、ワイヤー１０３とワイヤー１０５の交差位置が、第２のパネル１０２の折り畳みに伴って、第１のパネル１０１のＢ面と第２のパネル１０２のＢ面の間へと移行する。なお、この状態で当該交差位置は、溝部１０１ｄ１と溝部１０２ｄ１との間に形成された空間には位置していない。
【０１５１】
次に、図８（ｅ）に図示する表示装置１００の両面状態で、ワイヤー１０３とワイヤー１０５とが、図８（ｄ）に図示した状態と同様の位置で支持され、溝部１０１ｄ１と溝部１０２ｄ１との間に形成された空間で交差する。
【０１５２】
以上説明したように、表示装置１００の状態を縦展開状態から両面状態へと変更する（折り畳む）動作に伴って、各ワイヤーを支持する第１のパネル１０１および第２のパネル１０２における位置が変化する。そして、ワイヤーを支持する位置が変化することに応じて、各ワイヤー同士が交差する位置が第１のパネル１０１および第２のパネル１０２のＡ面とＢ面との間の位置からＢ面側へと移行する。この構成によって、ワイヤーが対応する溝部から脱落することなく表示装置１００の状態を変更させる（折り畳む）ことができる。なお、表示装置１００の状態を両面状態から縦展開状態へと変更（展開）させる場合は、上述の動きとは逆の順序で各ワイヤーが動作する。
【０１５３】
以上説明した構成によって、本実施形態の表示装置１００は、横展開状態、両面状態、収納状態Ａ、収納状態Ｂ、縦展開状態という５つの状態間における変形操作を容易に行うことができる。したがって、本実施形態の表示装置１００は、それぞれ表示部が設けられた第１のパネル１０１と第２のパネル１０２との相対的な配置を複数の状態へと変更することができる。特に、第１のパネル１０１と第２のパネル１０２において、延長線上に位置する辺同士が異なる（隣接する辺同士が異なる）ように、第１のパネル１０１と第２のパネル１０２の相対的な配置を変更することができる。
【０１５４】
したがって、本実施形態の表示装置１００は、表示部１０１ａと表示部１０２ａに単一の画像を分割して表示させる場合に、当該単一の画像の大きさや撮影の種類に応じて、各パネルの相対的な配置を自由に変更することができる。
【０１５５】
例えば、表示装置１００全体に表示させる表示画像の直交する２辺（例えば、長辺と短辺）の比率が、３：２や１６：９など、写真（または撮像素子）に多用される比率である場合は、表示装置１００の状態を縦展開状態に変更させる。また、表示装置１００全体に表示させる表示画像の直交する２辺の比率が、映画用に多用されるスコープサイズや、所謂パノラマ画像などの横長な比率（例えば、２：１以上の比率など）である場合は、表示装置１００の状態を横展開状態に変更させる。
【０１５６】
このように、本実施形態の表示装置１００は、ユーザによって、表示画像のそれぞれが直交する２辺の比率（アスペクト比）に合わせて、各パネルの相対的な配置を変更することができる。したがって、単一の画像を分割して各表示部に表示させる場合は、各表示部にできる限り大きく画像を表示させることができる。特に、表示装置１００をデジタルカメラなどの撮像装置に適用させた場合は、撮像装置によって取得した大きさ（各辺の比率）が異なる種々の画像に合わせて、当該画像をできるだけ大きく表示させることができる。
【０１５７】
ここで、表示装置１００の第１のパネル１０１および第２のパネル１０２における画像（表示画像）の表示サイズについて説明する。
【０１５８】
まず、表示装置１００が両面状態（図５（ｃ））である場合、表示部１０１ａおよび表示部１０２ａにおける表示画像の表示サイズは、各筐体の長辺と平行な方向の長さがＷｄ、短辺と平行な方向の長さがＨｄとなる。
【０１５９】
また、表示装置１００が横展開状態（図５（ｂ））である場合、表示装置１００全体の表示領域は、表示部１０１ａと表示部１０２ａとを足し合わせた領域となる。したがって、表示装置１００が横展開状態である場合、上述した領域を表示装置１００の表示領域とみなし、当該表示領域に表示画像を表示させることができる。この場合、表示領域の大きさは、幅２Ｗｄ、高さＨｄとなる。
【０１６０】
同様に、表示装置１００が縦展開状態（図５（ｄ））である場合も、表示部１０１ａと表示部１０２ａとを足し合わせた領域を表示装置１００全体の表示領域とみなし、この場合の当該表示領域の大きさは、幅Ｗｄ、高さ２Ｈｄとなる。
【０１６１】
すなわち、本実施形態の表示装置１００は、展開状態における表示領域を、両面状態における表示領域に対して約２倍の面積とすることができる。逆に、表示装置１００は、両面状態における表示領域を展開状態における表示領域に対して約半分の面積とすることができる。以上説明したように、本実施形態の表示装置１００は、状態に応じて装置自体の小型化と表示領域の大型化が可能であるので、携帯性を向上しつつ、同一平面における表示領域を拡大することができる。
【０１６２】
以上説明したように、本実施形態の表示装置１００は、収納状態（Ａ、Ｂ）、横展開状態、両面状態、縦展開状態などの複数の状態に変更することができる。特に、第１のパネル１０１と第２のパネル１０２において、延長線上に位置する辺同士が異なるように、第１のパネル１０１と第２のパネル１０２の相対的な配置を変更することができる。
【０１６３】
この構成により、本実施形態の表示装置１００は、表示部１０１ａと表示部１０２ａに単一の画像を分割して表示させる場合に、表示させたい画像のアスペクト比などに応じて、各パネルの相対的な配置を自由に変更することができる。
【０１６４】
ここで、撮像装置であるデジタルカメラ（以下、単にカメラと称す）１の表示手段として表示装置１００を適用した場合について図９を参照して説明する。図９は、本発明の第１実施形態に係るカメラ１を説明する図である。図９（ａ）は、表示装置１００を横展開状態にした場合のカメラ１の背面図を示し、図９（ｂ）は、表示装置１００を縦展開状態にした場合のカメラ１の背面図を示している。
【０１６５】
カメラ１は、前述した表示装置１００とカメラ本体（第３の筐体）１０、ヒンジ（カメラ連結手段）２０を有している。本実施形態のカメラ１は、前述した表示装置１００が設けられている側を背面側、その反対側を正面側とする。また、カメラ１と表示装置１００とを連結するヒンジ２０が設けられている側を左側面側、その反対を右側面側とする。
【０１６６】
図９（ａ）に図示するように、表示装置１００の横展開状態において、センサ１１３ａとセンサ１２３ａとが互いに近接し電気的に接続（導通）される。この状態で、第１の制御部１１０は、センサ１１３ａと１２３ａとの導通を検知し、当該検知の結果に基づいて、表示装置１００の状態が横展開状態であると検出する。なお、カメラ本体１０側の電源がオンされたことに応じて、表示装置１００側の電源もオンされる。
【０１６７】
また、図９（ｂ）に図示するように、表示装置１００の縦展開状態において、センサ１１３ｂとセンサ１２３ｂとが互いに近接し電気的に接続（導通）される。この状態で、第１の制御部１１０は、センサ１１３ｂと１２３ｂとの導通を検知し、当該検知の結果に基づいて、表示装置１００の状態が縦展開状態であると検出する。
【０１６８】
ヒンジ２０は、カメラ本体１０の左側面側と表示装置１００の第１のパネル１０１の右側面側とを連結する連結手段であって、カメラ本体１０に対して、表示装置１００を相対的に回動させることができる。
【０１６９】
なお、本実施形態のヒンジ２０は、表示装置１００を構成する各パネルの短辺と平行な軸を回動軸とするが、これに限定されるものではない。この回動軸に加えて、当該回動軸と直交しつつ、表示装置１００の各パネルの長辺と平行な軸を中心に回動できるような構成（所謂バリアングル液晶タイプ）であってもよい。
【０１７０】
以下、カメラ本体１０の構成について説明する。図９に図示するように、電源スイッチ１１は、オン／オフを切り替えることで、カメラ本体１０の内部に電力の供給可否を指示するための操作部である。
【０１７１】
操作ボタン群１２は、カメラ１の撮影モードや表示モードを設定できる操作部である。なお、操作ボタン群１２は、撮像時の各種パラメータの変更や調整、画像再生時の画像変更などに用いることが可能である。例えば、各表示部に前述した操作画面を表示させた状態で、ユーザは、操作ボタン群１２を操作して、操作画面上で確認しながら撮像に関わる各種のパラメータを設定することができる。
【０１７２】
なお、表示モードとしては、被写体像を含む単一の画像を複数に分割した分割画像を表示画像として各表示部に表示させる拡大表示モードと、一方の表示部に被写体像を含む画像を表示し、他方の表示部に操作画面を表示する通常表示モードを設定できる。
【０１７３】
上述した拡大表示モードでは、表示装置が展開状態である場合に、各表示部に表示された分割画像を合わせて１つの画像として表示させるため、１つの表示部単体に画像を表示させた場合と比較して、単一の画像を拡大して表示させることができる。
【０１７４】
なお、通常表示モードにおいては、被写体像を含む画像を、各表示部に独立して表示させるような構成であってもよい。また、上述した表示モード以外にも、表示部１０１ａおよび表示部１０２ａを消灯させるモードを設定できるような構成であってもよい。
【０１７５】
図９（ａ）、（ｂ）に図示した以外にも、本実施形態のカメラ本体１０は、それぞれ不図示のカメラマイコン）、レンズユニット、撮像素子、画像処理部、カメラ通信部、メモリ、レリーズスイッチなどを有している。
【０１７６】
以下、カメラ１における撮像動作について説明する。以降の各動作は、カメラマイコン（不図示）によって、統括的に制御されるものとする。
【０１７７】
ユーザによってレリーズスイッチがオン（例えば、全押し）されると、レンズユニットによって導かれ、撮像素子上に結像した被写体の光学像に対応した画像データが取得される。
【０１７８】
取得された画像データは種々の変換および画像処理が施された状態でメモリ内部のＲＡＭ領域に記録される。
【０１７９】
カメラマイコンは、メモリ内に記録された画像データを読み込み、カメラ通信部を介して表示装置側に当該画像データに関する情報を送信する。
【０１８０】
第１の制御部１１０は、第１の通信部１１２を介して受信した画像データに関する情報に基づいて、各表示部に表示させる表示画像を設定し、表示部１０１ａおよび表示部１０２ａに当該表示画像を表示させる。以上がカメラ１における撮像動作である。
【０１８１】
次に、表示装置１００の表示部１０１ａおよび表示部１０２ａに表示させる画像の種類を異ならせた場合の処理について図１０、１１を参照して説明する。図１０は、本発明の第１実施形態に係る表示装置１００に単一の画像を分割して表示させる場合と、単一の画像を独立して表示させる場合とを説明する図である。図１０（ａ）は、表示装置１００の横展開状態において、単一の画像を複数に分割して表示部１０１ａと表示部１０２ａとに表示させる場合（拡大表示モード）を説明する図である。また、図１０（ｂ）は、表示装置１００の横展開状態において、表示部１０１ａに操作画面を表示させ、表示部１０２ａにスルー画像を表示させる場合（通常表示モード）を説明する図である。
【０１８２】
図１０（ａ）に図示するように、表示装置１００の展開状態において、表示部１０１ａと表示部１０２ａに、撮像によって取得した画像（撮像画像）を複数に分割して表示させる場合は、２つの表示部を合わせて１つの表示画像を表示させる。
【０１８３】
このような状態において、一方のパネルを外部にぶつけるなどして、表示装置１００に外力が加わることで、第１のパネル１０１と第２のパネル１０２の相対的な配置がユーザの意図とは異なる状態に変化してしまうと、ユーザに違和感を与えてしまう。
【０１８４】
特に、表示装置１００の各パネルが所謂タッチ操作に対応したタッチパネルである場合、ユーザによる各パネルに対するタッチ操作によって、表示装置１００に関する種々の設定がされる。この場合、ユーザのタッチ操作に応じて、第１のパネル１０１と第２のパネル１０２の相対的な配置が変化してしまうと、ユーザに違和感を与えてしまう。
【０１８５】
したがって、撮像画像を複数の画像（分割画像）に分割して各表示部に表示させる場合、ユーザに与える違和感を抑制するために、第１のパネル１０１と第２のパネル１０２の相対的な配置が変化し難いことが望ましい。すなわち、表示装置１００に表示させる表示画像の種類が分割画像である場合は、各パネルの展開状態を維持しやすい構成が望ましい。
【０１８６】
上記問題は、各表示部に分割画像を表示させる場合に、第１のパネル１０１と第２のパネル１０２との相対的な配置を維持する維持力を強めることで解決できる。
【０１８７】
これに対して、表示装置１００に表示させる表示画像の種類が、分割画像ではない場合は、第１のパネル１０１と第２のパネル１０２との相対的な配置を変化しやすくすることが望ましい。以下、この詳細について説明する。
【０１８８】
例えば、同一の撮像画像を各パネルの表示部に独立して表示させる場合、カメラ１によって被写体を撮像する際に、一方のパネルを撮影方向側に向けることで、撮像対象の被写体側から撮像画像を確認することができる。
【０１８９】
また、所謂セルフタイマー撮影や自分撮りをおこなう場合は、ユーザが撮像画像を確認しながら撮像できることが望ましい。この場合、表示部に撮像画像を表示した状態で当該表示部を撮像方向側に向けることで、ユーザが撮像画像を確認しながら撮像時のカメラ１の構図を調節できるので、ユーザが意図する画像を取得することができる。したがって、カメラ１の構図変更に伴って、表示部が撮像方向側を向いたパネルの位置を変更しやすいことが望ましい。
【０１９０】
以上説明したように、各表示部に異なる種類の画像を表示させる場合は、ユーザによる表示装置１００の操作性を向上させるために、第１のパネル１０１と第２のパネル１０２の相対的な配置を変更しやすいことが望ましい。すなわち、表示装置１００に表示させる表示画像の種類が、それぞれ異なる画像である場合は、各パネルの展開状態を変更しやすい構成が望ましい。
【０１９１】
しかしながら、上述したように各パネル同士の維持力を強めることで、ユーザが各パネル同士の相対的な配置を変更し難くなるため、ユーザによる表示装置１００の操作性は、各パネル間の維持力を弱めた場合よりも低下する。
【０１９２】
この問題を解決するために、各表示部にそれぞれ異なる種類の表示画像を表示させる場合には、第１のパネル１０１と第２のパネル１０２との相対的な配置を維持する力を弱めることが望ましい。
【０１９３】
なお、本実施形態において上述した表示画像の種類とは、前述したように表示部１０１ａおよび表示部１０２ａに表示させる表示画像が、単一の画像を分割した画像（分割画像）であるか否かに関するものである。すなわち、本実施形態では、撮像画像を複数に分割した分割画像を各表示部に表示させる場合と、同一の撮像画像を表示部１０１ａと表示部１０２ａの両方に表示させる場合とで、表示画像の種類が異なるものとする。
【０１９４】
以上説明したように、各パネル同士の相対的な配置を変更できる表示装置においては、各表示部に表示させる画像の種類に応じて、各パネル間の維持力として望ましい強度は異なる。すなわち、各表示部に表示画像を表示させる場合に、常に一定の維持力で各パネル同士の相対的な配置を維持すると、表示画像の種類に応じて異なる種々の問題を解決することは困難である。
【０１９５】
そこで、本実施形態の表示装置１００は、表示部１０１ａおよび表示部１０２ａに表示させる表示画像の種類に応じて、第１のパネル１０１と第２のパネル１０２の展開状態を維持する力を変更することで、上述の問題を解決する。以下、図１１を参照してその詳細を説明する。
【０１９６】
図１１は、本発明を実施した表示装置の第１実施形態に係る表示装置１００の維持力変更処理を説明するフローチャートである。なお、以降は、特に言及しない限り、第１の制御部１１０を制御部１１０と省略して説明する。また、後述する各処理に使用する情報は表示装置のメモリ（不図示）に記録され、制御部１１０によって適宜読み出されるものとする。
【０１９７】
カメラ１の電源スイッチがオンされたことに応じて、維持力変更処理が開始されると、ステップＳ１１０１で制御部１１０は、表示画像の種類を判定する。
【０１９８】
なお、本実施形態では、電源投入時の表示装置１００の設定に基づいて、電源投入と同時に表示画像を各表示部に表示させるような構成であるが、これに限定されるものではない。例えば、電源投入後初めて実行する維持力変更処理の終了と同時に、各表示部に表示画像を表示させるような構成であってもよい。すなわち、ステップＳ１１０１における表示画像が、次に各表示部に表示させる表示画像の画像データであって、当該画像データをメモリ（不図示）から読み出して、ステップＳ１１０１の処理を実行するような構成であってもよい。
【０１９９】
次に、ステップＳ１１０２で制御部１１０は、ステップＳ１１０１で判定した表示画像の種類に基づき、各表示部の表示画像が、分割画像であるか否かを判定する。
【０２００】
制御部１１０によって、表示画像が分割画像であると判定された場合（ステップＳ１１０２でＹＥＳ）は、ステップＳ１１０３に進む。また、表示画像が分割画像でないと判定された場合（ステップＳ１１０２でＮＯ）は、ステップＳ１１０６に進む。
【０２０１】
次に、ステップＳ１１０３で制御部１１０は、センサ１１３ａ、１１３ｂ、１２３ａ、１２３ｂからの出力信号に基づいて、表示装置１００の状態を検出する。具体的に、制御部１１０は、各センサ同士の導通状態を検知することで、表示装置１００の状態を検出する。
【０２０２】
なお、センサ１２３ａ、１２３ｂからの出力信号は、第１の通信部１１２および第２の通信部１２２を介して、第２の制御部１２０から第１の制御部１１０へと送信されるものとする。
【０２０３】
図１２は、本発明の第１実施形態に係る表示装置１００の状態検出方法を説明する図である。図１２に図示するように、制御部（配置検出手段）１１０は、センサ１１３ａとセンサ１２３ａとが導通している状態であると検知された場合に、表示装置１００が横展開状態であることを検出する。また、制御部１１０は、センサ１１３ｂとセンサ１２３ｂとが導通している状態であると検知された場合に、表示装置１００が縦展開状態であることを検出する。また、制御部１１０は、何れのセンサにおいても導通状態が検知されない場合に、表示装置１００が折り畳み状態であることを検出する。
【０２０４】
次に、ステップＳ１１０４で制御部１１０は、ステップＳ１１０３で検出した表示装置１００の状態に関する情報に基づいて、表示装置１００の現在の状態が展開状態（横展開状態または縦展開状態）であるか否かを判定する。
【０２０５】
制御部１１０によって、現在の表示装置１００の状態が展開状態でないと判定された場合（ステップＳ１１０４でＮＯ）、ステップＳ１１０６に進む。この詳細については後述する。
【０２０６】
制御部１１０により、現在の表示装置１００の状態が展開状態であると判定された場合（ステップＳ１１０４でＹＥＳ）はステップＳ１１０５に進む。ステップＳ１１０５で制御部１１０は、張力変更部１１５に指示して、ワイヤー１０３〜１０６の張力を第１の張力に変更（設定）する。また、ステップＳ１１０６で制御部１１０は、張力変更部１１５に指示して、ワイヤー１０３〜１０６の張力を第２の張力に変更（設定）する。
【０２０７】
ここで、上述した第１の張力は、第２の張力よりも、各ワイヤーの張力が強い（大きい）力である。したがって、本実施形態の表示装置１００では、表示画像の種類が分割画像である場合の方が、表示画像の種類が分割画像でない場合よりも、各ワイヤーの張力が強い（大きい）。すなわち、表示画像の種類が分割画像である場合の方が、表示画像の種類が分割画像でない場合よりも、第１のパネル１０１と第２のパネル１０２との相対的な配置を維持する力が強い（大きい）。
【０２０８】
なお、第１の張力としては、ユーザの手が触れる場合や、表示装置１００がカメラ１の外部にぶつかる場合など、表示装置１００に加わる力が比較的小さな力である場合に、各パネル同士の状態が変更されないような力であることが望ましい。例えば、各パネルの表示部が前述したタッチパネルである場合に、ユーザのタッチ操作により各パネル同士の相対的な配置が変更されないような力であることが望ましい。また、第２の張力としては、ユーザが各パネルの配置を変更する際にユーザが不自然に感じることのないような力であればよい。
【０２０９】
以上説明した構成によって、本実施形態の表示装置１００は、表示画像の種類が単一の画像を複数に分割した画像である場合に、各パネル同士の相対的な配置を維持し易くなるため、ユーザに違和感を与えることを抑制できる。
【０２１０】
また、本実施形態の表示装置１００は、表示画像の種類が単一の画像を複数に分割した画像でない場合に、各パネル同士の相対的な配置を変更し易くなるため、ユーザに対する表示装置１００の操作性を向上させることができる。したがって、本実施形態では、それぞれが表示部を備えた複数の筐体同士の相対的な配置を変更できる表示装置１００の使いやすさを向上させることができる。
【０２１１】
なお、表示装置１００において、表示画像の種類に応じて各ワイヤーの張力を変更するか否かを判定するような構成であってもよい。すなわち、表示画像の種類が分割画像である場合に各ワイヤーの張力を変更し、表示画像の種類が分割画像でない場合に各ワイヤーの張力を変更しないような構成であってもよい。
【０２１２】
この際、表示画像の種類が分割画像である場合の各ワイヤーの張力の方が、表示画像の種類が分割画像でない場合の各ワイヤーの張力よりも強く（大きく）する。
【０２１３】
なお、本実施形態では、表示画像の種類が分割画像であったとしても、ステップＳ１１０４の判定により、表示装置１００の構成が展開状態でないと判定された場合は、各ワイヤーの張力を第２の張力に変更する構成である。すなわち、本実施形態の表示装置１００は、表示装置１００の状態が展開状態ではあるか否かに応じて、ワイヤー１０３〜１０６の張力を変更する構成である。
【０２１４】
この構成によって、表示装置１００が展開状態であって表示画像の種類が単一の画像を複数に分割した画像である場合のみ、各パネル同士の相対的な配置を維持し易くなる。すなわち、表示装置１００の移行状態や折り畳み状態において、ユーザによる表示装置１００の操作性が低下することを抑制できる。なお、ステップＳ１１０３〜Ｓ１１０４の処理を行わずに、表示画像の種類のみに応じて、各ワイヤーの張力を変更するような構成であってもよい。
【０２１５】
ステップＳ１１０５およびＳ１１０６において、各ワイヤーの張力の変更が完了したことに応じて、維持力変更処理を終了する。なお、本実施形態では、制御部１１０により、表示画像の変更または表示装置１００の状態が変更されたことを検出したことに応じて、次の維持力変更処理を開始する構成である。
【０２１６】
したがって、現在の維持力変更処理中に上述したような表示画像の変更または表示装置１００の状態変更が検出された場合は、現在の維持力変更処理を中止して、次の処理を開始する。以上が本実施形態の維持力変更処理である。
【０２１７】
なお、本実施形態成では、表示画像の種類に応じて、ワイヤー１０３〜１０６全ての張力を変更するような構成について説明したが、これに限定されるものではない。例えば、表示画像の種類に応じて、ワイヤー１０３〜１０６の何れかの張力を変更するような構成であってもよい。
【０２１８】
また、本実施形態成では、表示画像の種類に応じて各ワイヤーの張力を変更することで、第１のパネル１０１と第２のパネル１０２との相対的な配置を維持する力を変更するような構成について説明したが、これに限定されるものではない。
【０２１９】
例えば、第１のパネル１０１と第２のパネル１０２のそれぞれ対応する位置に複数の磁石を設け、表示画像の種類に応じて、当該複数の磁石に作用するする力（結合する力）を変更するような構成であってもよい。以下、この詳細について図１３、１４を参照して説明する。
【０２２０】
図１３は、本発明の第１実施形態に係る表示装置の変形例である表示装置２００の三面図である。なお、説明を簡略化するために、図１３において、各ワイヤーおよび固定部、溝部、角部は不図示とする。図１４は、本発明の第１実施形態に係る表示装置の変形例である表示装置２００について例示的に説明するブロック図である。
【０２２１】
前述した表示装置１００と表示装置２００との違いは、張力変更部１１５の代わりに、各パネルに電流変更部を設け、第１のパネル１０１に磁石２１５ａ、２１５ｂを設け、第２のパネル１０２に磁石２２５ａ、２２５ｂを設けた点である。なお、図１３および図１４では、表示装置２００において表示装置１００と同一の構成については、表示装置１００と同一の符号を付し、説明は省略する。
【０２２２】
図１３（ａ）に図示するように、表示装置２００の横展開状態において、磁石２１５ａと磁石２２５ａとが磁気吸着可能となる。なお。表示装置２００の横展開状態において、磁石２１５ｂと磁石２２５ｂとが離間している。
【０２２３】
また、図１３（ｂ）に図示するように、表示装置２００の縦展開状態において、磁石２１５ｂと磁石２２５ｂとが磁気吸着可能となる。なお。表示装置２００の縦展開状態において、磁石２１５ａと磁石２２５ａとが離間している。
【０２２４】
磁石２１５ａ、２１５ｂ、２２５ａ、２２５ｂのそれぞれは、電流が印加されることで磁化する電磁石を含む（第２の連結手段）である。
【０２２５】
磁石２１５ａと磁石２２５ａ、および磁石２１５ｂと磁石２２５ｂは、ワイヤー１０３〜１０６とは異なり、第１のパネル１０１と第２のパネル１０２との相対的な配置を変更することで連結が解除される連結手段である。
【０２２６】
具体的に、表示装置２００が横展開状態である場合は、磁石２１５ａと磁石２２５ａ同士が結合（連結）し、磁石２１５ｂと磁石２２５ｂとの結合（連結）は解除される。また、表示装置２００が縦展開状態である場合は、磁石２１５ａと磁石２２５ａ同士の結合（連結）が解除され、磁石２１５ｂと磁石２２５ｂとが結合（連結）する。
【０２２７】
なお、磁石２１５ａと磁石２２５ａとは、印加させる電流の向きを異ならせることで互いの極が異なるように設定されている。磁石２１５ｂと磁石２２５ｂについても同様である。
【０２２８】
図１４に図示するように、第１の電流制御部２１５は、磁石２１５ａ、２１５ｂに印加する電流値および電流の向きを制御し、磁石２１５ａ、２１５ｂの磁力の強さと磁性の極を変更できる制御手段である。また、第２の電流制御部２２５は、磁石２２５ａ、２２５ｂに印加する電流値および電流の向きを制御し、磁石２２５ａ、２２５ｂの磁力の強さと磁性の極を変更できる制御手段である。
【０２２９】
以上説明したように、表示装置２００は、磁石２１５ａと磁石２２５ａとが互いに磁気吸着して結合する力（結合力）を変更することができる。なお、磁石２１５ｂと磁石２２５ｂについても同様である。
【０２３０】
したがって、維持力変更処理において、ワイヤー１０３〜１０６の張力を変更する代わりに、各磁石に印加する電流値を変更して各磁石同士が結合する力を変更する構成であっても、前述した表示装置１００と略同一の効果を奏することができる。すなわち、本実施形態の表示装置としては、表示画像の種類に応じて、対応する磁石同士の結合力を変更することで、各パネル同士の相対的な配置を維持する力を変更するような構成であってもよい。なお、この場合、第１の電流制御部２１５および第２の電流制御部２２５が、維持力を変更するための変更手段に該当する。
【０２３１】
なお、表示装置２００において、印加する電流値を変更するような構成ではなく、電流を印加するか否かを制御するような構成であってもよい。すなわち、表示画像の種類が分割画像である場合に各磁石に電流を印加し、表示画像の種類が分割画像でない場合に各磁石に電流を印加しないような構成であってもよい。
【０２３２】
以上説明した表示装置２００の構成であっても、表示画像の種類が単一の画像を複数に分割した画像である場合に、各パネル同士の相対的な配置を維持し易くなるため、ユーザに違和感を与えることを抑制できる。また、表示画像の種類が単一の画像を複数に分割した画像でない場合に、各パネル同士の相対的な配置を変更し易くなるため、ユーザに対して表示装置の操作性を向上させることができる。
【０２３３】
（第２実施形態）
以下、本発明の第２実施形態に係る表示装置３００について図１５〜１６を参照して説明する。なお、本実施形態の表示装置３００については、基本的な構成は前述した第１実施形態の表示装置１００と略同一である。したがって、本実施形態の表示装置２００については、前述した第１実施形態の表示装置１００と同一の構成には同一の符号を付し、異なる構成についてのみ説明する。
【０２３４】
図１５は、本発明を実施した表示装置の第２実施形態である表示装置３００の二面図である。図１５に図示するように、本実施形態の表示装置３００は、第１のパネル１０１の右側面部側に、ヒンジ部４００が設けられている。なお、本実施形態の表示装置３００には、前述した第１実施形態の表示装置１００と異なり、各ワイヤー、溝部および角部、固定部などは設けられていない。
【０２３５】
なお、第１のパネル１０１は、ヒンジ部４００が設けられた側の側面を左側面とし、その反対側を右側面とする。また、第２のパネル１０２は、ヒンジ部４００と連結される側を右側面とし、その反対側を左側面とする。
【０２３６】
ヒンジ部４００は、所定の１軸を中心に回動可能な連結手段であって、第１のパネル１０１に一体形成されている。なお、ヒンジ部４００が第１のパネル１０１と一体形成されているような構成ではなく、第１のパネル１０１に固定されているような構成であってもよい。
【０２３７】
ヒンジ部４００の回動軸は、第１のパネル１０１の短辺（例えば、辺２）および、第２のパネル１０２の短辺（例えば、辺４）と平行である。したがって、ヒンジ部４００の動作によって、第１のパネル１０１と第２のパネル１０２とは、辺２と辺４とが隣接するように、互いの相対的な配置を変更できる。すなわち、本実施形態の表示装置３００は、第１のパネル１０１の辺１の延長線上に、第２のパネル１０２の辺３が位置するように、各パネル同士の相対的な配置を変更できる構成である。
【０２３８】
以上説明したように、本実施形態の表示装置３００は、第１のパネル１０１と第２のパネル１０２との相対的な配置を変更することで横展開状態に変形することが可能な表示装置である。
【０２３９】
ここで、表示画像の種類に応じて各パネル同士の相対的な配置を維持する力（以下、維持力と称す）を変更することで、横展開状態のみに変形可能な表示装置３００の使いやすさを向上させることができる。以下、この詳細について図１６を参照して説明する。
【０２４０】
図１６は、本発明を実施した表示装置の第２実施形態である表示装置３００の内部構成を説明するブロック図である。図１６に図示するように、本実施形態の表示装置３００は、前述した第１実施形態の表示装置１００と比較して、張力変更部１１５の代わりにトルク変更部３１５を設けた点が異なる構成である。
【０２４１】
トルク変更部３１５は、ヒンジ部４００の回動に抗する抵抗（以下、抵抗力と称す）を変更することができる変更手段である。トルク変更部３１５は、ヒンジ部４００の内部に設けられたモータ（不図示）の駆動量を変更することによって、ヒンジ部４００の抵抗力を変更することができる。
【０２４２】
本実施形態の表示装置３００では、トルク変更部３１５が、表示画像判定部１１４によって判定された表示画像の種類に応じてヒンジ部４００の抵抗力を変更する構成である。具体的には、表示画像の種類が分割画像である場合のヒンジ部４００の抵抗力を、表示画像の種類が分割画像でない場合よりも強く（大きく）する。
【０２４３】
すなわち、表示装置３００は、表示画像の種類が分割画像である場合の各パネル同士の相対的な配置を維持する力を、表示画像の種類が分割画像でない場合よりも強くする。
【０２４４】
この構成によって、本実施形態の表示装置３００は、表示画像の種類が単一の画像を複数に分割した画像である場合に、各パネル同士の相対的な配置を維持し易くなるため、ユーザに違和感を与えることを抑制できる。
【０２４５】
また、本実施形態の表示装置３００は、表示画像の種類が単一の画像を複数に分割した画像でない場合に、各パネル同士の相対的な配置を変更し易くなるため、ユーザに対する表示装置３００の操作性を向上させることができる。したがって、本実施形態では、それぞれが表示部を備えた複数の筐体同士の相対的な配置を変更できる表示装置３００の使いやすさを向上させることができる。
【０２４６】
以上、本発明の好ましい実施形態について説明したが、本発明はこれらに限定されず、その要旨の範囲内で種々の変形および変更が可能である。例えば、前述した第１実施形態では、表示装置１００側の第１の制御部１１０の指示に応じて、前述した維持力変更処理を実行するような構成であったが、これに限定されるものではない。前述した第１実施形態のカメラ１など、表示装置１００外の電子機器の表示手段として表示装置１００を適用させる場合は、当該電子機器側のマイコン（例えば、カメラマイコンなど）が、表示装置１００の統括的な制御を実行するような構成であってもよい。
【０２４７】
また、前述した第１実施形態において、表示画像の種類が分割画像でない場合に、各ワイヤーの張力に基づく各パネル同士の維持力を、ヒンジ２０による表示装置１００の保持力と略同一にするような構成であってもよい。
【０２４８】
また、前述した第２の実施形態では、第１のパネル１０１と第２のパネル１０２との通信が無線通信によって実行されるような構成であったが、これに限定されるものではない。例えば、ヒンジ部４００の内部に、各パネル同士を電気的に接続するフレキシブルプリント配線基板（以下、ＦＰＴと称す）を配して、当該ＦＰＣを介した有線通信によって各パネル同士の通信を実行するような構成であってもよい。
【０２４９】
なお、前述した実施形態では、表示部１０１ａと表示部１０２ａの双方に表示画像を表示させるような構成について説明したが、これに限定されるものではない。表示画像の種類が分割画像でない場合としては、表示部１０１ａと表示部１０２ａのうちの少なくとも一方に表示画像が表示されているような構成であればよい。
【０２５０】
すなわち、表示画像の種類が単一の画像を複数に分割した画像でない場合とは、表示部１０１ａと表示部１０２ａの何れか一方で画像を表示していない（消灯している）場合も含む。
【０２５１】
また、前述した実施形態では、表示画像の種類に応じて、第１のパネル１０１と第２のパネル１０２との相対的な配置を維持する力を変更するような構成であったが、これに加えて以下のような構成を採用することもできる。
【０２５２】
例えば、前述した第１実施形態の表示装置１００において、何れかの展開状態において表示装置１００の電源をオフする場合は、表示装置１００の状態を折り畳み状態などに変更することが考えられる。すなわち、第１のパネル１０１と第２のパネル１０２に表示画像が表示されていない状態では、各パネル同士の維持力は、各パネル同士の相対的な配置を変更しやすい力であることが望ましい。
【０２５３】
そこで、表示部１０１ａおよび表示部１０２ａの何れにおいても表示画像が表示されていない場合の各パネル同士の維持力を、表示部１０１ａおよび表示部１０２ａのうちの少なくとも一方に表示画像が表示されている場合よりも弱く（小さく）する。
【０２５４】
なお、上述した表示部１０１ａおよび表示部１０２ａの何れにおいても表示画像が表示されていない場合とは、例えば、表示装置１００の電源がオフ状態である場合や、各表示部の設定が消灯である場合、省電力状態に移行した場合などである。
【０２５５】
この構成を採用した表示装置であれば、表示画像の種類のみでなく、表示画像を各表示部に表示させるか否かに関する情報に基づいて、各パネル同士の維持力を変更することができる。したがってそれぞれが表示部を備えた複数の筐体同士の相対的な配置を変更できる表示装置の使いやすさを更に向上させることができる。
【０２５６】
以上説明したように、本発明を実施した表示装置としては、少なくとも、表示画像に関する情報に基づいて、それぞれが表示部を備えた複数の筐体同士の相対的な配置を維持する力を変更する構成であれば、上述した種々の効果を奏することができる。
【０２５７】
なお、前述した実施形態では、表示装置内部に設けられた各部が互いに連携して動作することで、表示装置の動作を制御するような構成であったが、これに限定されるものではない。例えば、前述した維持力変更処理（図１１など）のフローに従ったプログラムを予め表示装置内部のメモリ（不図示）に格納しておき、当該プログラムを第１の制御部１１０が実行することで、表示装置の動作を制御するような構成であってもよい。
【０２５８】
また、プログラムの機能を有していれば、オブジェクトコード、インタプリタにより実行されるプログラム、ＯＳに供給するスクリプトデータ等、プログラムの形態を問わない。また、プログラムを供給するための記録媒体としては、例えば、ハードディスク、磁気テープ等の磁気記録媒体、光／光磁気記録媒体でもあってもよい。
【０２５９】
（その他の実施形態）
また本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現できる。また、１以上の機能を実現する回路（例えば、ＡＳＩＣ）によっても実現できる。
【符号の説明】
【０２６０】
１００  表示装置（第１実施形態）
１０１  第１のパネル
１０１ａ  第１の表示部
１０２  第２のパネル
１０２ａ  第２の表示部
１０３  ワイヤー
１０４  ワイヤー
１０５  ワイヤー
１０６  ワイヤー
１１０  第１の制御部
１１５  張力変更部
２００  表示装置（変形例）
２１５  第１の電流制御部
２２５  第２の電流制御部
３００  表示装置（第２実施形態）
３１５  トルク変更部
【図１】
2016206557.tif 000003
【図２】
2016206557.tif 000004
【図３】
2016206557.tif 000005
【図４】
2016206557.tif 000006
【図５】
2016206557.tif 000007
【図６】
2016206557.tif 000008
【図７】
2016206557.tif 000009
【図８】
2016206557.tif 000010
【図９】
2016206557.tif 000011
【図１０】
2016206557.tif 000012
【図１１】
2016206557.tif 000013
【図１２】
2016206557.tif 000014
【図１３】
2016206557.tif 000015
【図１４】
2016206557.tif 000016
【図１５】
2016206557.tif 000017
【図１６】
2016206557.tif 000018